(57)【特許請求の範囲】
【請求項１】
画像形成装置であって、
画像に関する複数の入力手段と、
画像に関する複数の出力手段と、
複数のジョブの進捗状況を確認するための進捗状況確認画面の表示動作を制御する表示制御手段であって、前記進捗状況確認画面において、前記複数の入力手段にそれぞれ対応する複数の入力部領域と前記複数の出力手段にそれぞれ対応する複数の出力部領域とをそれぞれ所定の位置に配置する表示制御手段と、
を備え、
前記表示制御手段は、前記進捗状況確認画面において、前記複数のジョブのうちの個別のジョブに応じて前記複数の入力部領域の中から選択された一の入力部領域であって前記個別のジョブにて利用される入力手段に対応する一の入力部領域と前記個別のジョブに応じて前記複数の出力部領域の中から選択された一の出力部領域であって前記個別のジョブにて利用される出力手段に対応する一の出力部領域とを接続する経路を、前記複数のジョブのうちの前記個別のジョブの処理経路として描画するとともに、当該処理経路上に前記個別のジョブに関する小画像を描画することを特徴とする画像形成装置。
【請求項２】
請求項１に記載の画像形成装置において、
前記表示制御手段は、前記進捗状況確認画面において、第１のジョブに関する表示要素であって前記第１のジョブの処理経路と当該第１のジョブの処理経路上の小画像とのうちの少なくとも一方を含む表示要素である第１の表示要素と、前記第１のジョブとは異なる第２のジョブに関する表示要素であって前記第２のジョブの処理経路と当該第２のジョブの処理経路上の小画像とのうちの少なくとも一方を含む表示要素である第２の表示要素とを、互いに異なる表示態様で表示することを特徴とする画像形成装置。
【請求項３】
請求項１に記載の画像形成装置において、
前記表示制御手段は、前記進捗状況確認画面において、第１のユーザの第１のジョブに関する表示要素であって前記第１のジョブの処理経路と当該第１のジョブの処理経路上の小画像とのうちの少なくとも一方を含む表示要素である第１の表示要素と、前記第１のユーザ以外の第２のユーザの第２のジョブに関する表示要素であって前記第２のジョブの処理経路と当該第２のジョブの処理経路上の小画像とのうちの少なくとも一方を含む表示要素である第２の表示要素とを、互いに異なる表示態様で表示することを特徴とする画像形成装置。
【請求項４】
請求項２または請求項３に記載の画像形成装置において、
前記第１の表示要素は、前記第１のジョブの処理経路を表現する線と当該第１のジョブの処理経路上の小画像の枠線とのうちの少なくとも一方である第１の線要素を含み、
前記第２の表示要素は、前記第２のジョブの処理経路を表現する線と当該第２のジョブの処理経路上の小画像の枠線とのうちの少なくとも一方である第２の線要素を含み、
前記表示制御手段は、前記第１の線要素と前記第２の線要素とを互いに異なる色を用いて表示することを特徴とする画像形成装置。
【請求項５】
請求項２または請求項３に記載の画像形成装置において、
前記第１の表示要素は、前記第１のジョブの処理経路を表現する線と当該第１のジョブの処理経路上の小画像の枠線とのうちの少なくとも一方である第１の線要素を含み、
前記第２の表示要素は、前記第２のジョブの処理経路を表現する線と当該第２のジョブの処理経路上の小画像の枠線とのうちの少なくとも一方である第２の線要素を含み、
前記表示制御手段は、前記第１の線要素と前記第２の線要素とを互いに異なる種類の線を用いて表示することを特徴とする画像形成装置。
【請求項６】
請求項３に記載の画像形成装置において、
前記表示制御手段は、前記第１のユーザのログイン中において、前記進捗状況確認画面における前記第１のユーザの前記第１のジョブに関する前記第１の表示要素を、前記第２のユーザの前記第２のジョブに関する前記第２の表示要素よりも強調して表示することを特徴とする画像形成装置。
【請求項７】
請求項１に記載の画像形成装置において、
前記表示制御手段は、前記進捗状況確認画面において、
第１のユーザの第１のジョブの処理経路を表現する線と当該第１のジョブの処理経路上の小画像の枠線とのうちの少なくとも一方を含む第１の線要素と、前記第１のユーザ以外の第２のユーザの第２のジョブの処理経路を表現する線と当該第２のジョブの処理経路上の小画像の枠線とのうちの少なくとも一方を含む第２の線要素とを、互いに異なる色を用いて表示するとともに、
前記第２のユーザの前記第２のジョブに関する前記第２の線要素と、前記第２のユーザの第３のジョブであって前記第２のジョブとは異なる第３のジョブの処理経路を表現する線と当該第３のジョブの処理経路上の小画像の枠線とのうちの少なくとも一方を含む第３の線要素とを、同一色且つ互いに異なる種類の線を用いて表示することを特徴とする画像形成装置。
【請求項８】
請求項１に記載の画像形成装置において、
前記表示制御手段は、第１のユーザのログイン中に表示される前記進捗状況確認画面においては、前記第１のユーザの第１のジョブの処理経路上の小画像としては、前記第１のジョブの処理対象画像のサムネイル画像を描画し、非ログイン中の第２のユーザの第２のジョブの処理経路上の小画像としては、前記サムネイル画像ではなくダミー画像を描画することを特徴とする画像形成装置。
【請求項９】
請求項１ないし請求項８のいずれかに記載の画像形成装置において、
前記表示制御手段は、前記複数のジョブの中から所望のジョブを表示対象として指定するジョブ指定操作が受け付けられると、前記進捗状況確認画面において、前記所望のジョブに関する表示要素であって前記所望のジョブの処理経路と当該所望のジョブの処理経路上の小画像とのうちの少なくとも一方を含む表示要素を表示する一方で、前記複数のジョブのうちの前記所望のジョブ以外のジョブである非指定ジョブに関する表示要素であって前記非指定ジョブの処理経路と当該非指定ジョブの処理経路上の小画像とのうちの少なくとも一方を含む表示要素を非表示にすることを特徴とする画像形成装置。
【請求項１０】
請求項１ないし請求項９のいずれかに記載の画像形成装置において、
前記表示制御手段は、前記個別のジョブの進捗状況に応じて、前記個別のジョブの処理経路上の複数の位置のいずれかに前記小画像を描画することを特徴とする画像形成装置。
【請求項１１】
請求項１０に記載の画像形成装置において、
前記複数の入力手段のいずれかを介して入力された画像データであって前記複数の出力手段のいずれかによって出力される前の画像データを格納する格納手段、
をさらに備え、
前記表示制御手段は、前記進捗状況確認画面において、前記格納手段に対応する格納部領域を、前記複数の入力部領域を含む入力部群領域と前記複数の出力部領域を含む出力部群領域との間に配置し、
前記個別のジョブの処理経路は、前記一の入力部領域と前記格納部領域とを接続する入力側処理経路と、前記格納部領域と前記一の出力部領域とを接続する出力側処理経路とを有することを特徴とする画像形成装置。
【請求項１２】
請求項１１に記載の画像形成装置において、
前記複数の位置は、前記入力側処理経路上の位置と前記格納部領域内の位置と前記出力側処理経路上の位置とのいずれかを含むことを特徴とする画像形成装置。
【請求項１３】
請求項１１または請求項１２に記載の画像形成装置において、
前記個別のジョブの処理経路は、複数の区間を有し、
前記表示制御手段は、前記進捗状況確認画面においてユーザによる区間指定操作に基づき当該複数の区間の中から指定区間が指定されると、前記複数の区間のうち着目対象の一部の区間である着目区間であって前記指定区間に応じた着目区間内の小画像に対するユーザ操作を受け付ける着目区間画面を表示し、
前記画像形成装置は、
前記個別のジョブにおいて、前記着目区間画面における前記ユーザ操作に応じた処理を実行するジョブ制御手段、
をさらに備えることを特徴とする画像形成装置。
【請求項１４】
請求項１３に記載の画像形成装置において、
前記複数の区間は、前記一の入力部領域を含む入力側区間を有し、
前記表示制御手段は、前記入力側区間に対応する表示要素に対する押下操作により前記入力側区間が前記指定区間として指定されると、前記入力側区間内の小画像に対する前記ユーザ操作を受け付ける画面を前記着目区間画面として表示することを特徴とする画像形成装置。
【請求項１５】
請求項１４に記載の画像形成装置において、
前記表示制御手段は、前記着目区間画面において前記格納部領域をも表示し、
前記ユーザ操作は、前記着目区間画面において、前記入力側処理経路上の小画像を前記格納部領域に向かう向きへと移動させる移動操作であり、
前記ジョブ制御手段は、
前記入力側区間を前記指定区間として指定する前記押下操作に応じて、前記着目区間画面を表示するとともに、前記個別のジョブにおける画像データの入力処理を一時的に中断し、
前記着目区間画面における前記移動操作に応じて、一時的に中断されていた前記入力処理を再開することを特徴とする画像形成装置。
【請求項１６】
請求項１３に記載の画像形成装置において、
前記複数の区間は、前記一の出力部領域を含む出力側区間を有し、
前記表示制御手段は、前記出力側区間に対応する表示要素に対する押下操作により前記出力側区間が前記指定区間として指定されると、前記出力側区間内の小画像に対する前記ユーザ操作を受け付ける画面を前記着目区間画面として表示することを特徴とする画像形成装置。
【請求項１７】
請求項１６に記載の画像形成装置において、
前記ユーザ操作は、前記着目区間画面において、前記出力側処理経路上の小画像を前記一の出力部領域に向かう向きへと移動させる移動操作であり、
前記ジョブ制御手段は、
前記出力側区間を前記指定区間として指定する前記押下操作に応じて、前記着目区間画面を表示するとともに、前記個別のジョブにおける画像データの出力処理を一時的に中断し、
前記着目区間画面における前記移動操作に応じて、一時的に中断されていた前記出力処理を再開することを特徴とする画像形成装置。
【請求項１８】
請求項１３に記載の画像形成装置において、
前記複数の区間は、前記一の入力部領域を含む入力側区間と、前記入力側区間よりも出力側に設けられ且つ前記格納部領域を含む中間区間とを有し、
前記表示制御手段は、前記入力側区間に対応する表示要素に対する押下操作により前記入力側区間が前記指定区間として指定されると、前記中間区間内の小画像に対するユーザ操作を受け付ける画面を前記着目区間画面として表示することを特徴とする画像形成装置。
【請求項１９】
請求項１３に記載の画像形成装置において、
前記複数の区間は、前記一の出力部領域を含む出力側区間と、前記出力側区間よりも入力側に設けられ且つ前記格納部領域を含む中間区間とを有し、
前記表示制御手段は、前記出力側区間に対応する表示要素に対する押下操作により前記出力側区間が前記指定区間として指定されると、前記中間区間内の小画像に対する前記ユーザ操作を受け付ける画面を前記着目区間画面として表示することを特徴とする画像形成装置。
【請求項２０】
請求項１３に記載の画像形成装置において、
前記複数の区間は、前記一の入力部領域と前記一の出力部領域との間に設けられ且つ前記格納部領域を含む中間区間を有し、
前記表示制御手段は、前記中間区間に対応する表示要素に対する押下操作により前記中間区間が前記指定区間として指定されると、前記中間区間内の小画像に対する前記ユーザ操作を受け付ける画面を前記着目区間画面として表示することを特徴とする画像形成装置。
【請求項２１】
請求項１８ないし請求項２０のいずれかに記載の画像形成装置において、
前記ユーザ操作は、前記着目区間画面における前記格納部領域内の特定の小画像に関する削除指示操作であり、
前記ジョブ制御手段は、前記着目区間画面における前記削除指示操作に応じて、前記個別のジョブの処理対象の画像データであって前記特定の小画像に対応する画像データを前記格納手段から削除することを特徴とする画像形成装置。
【請求項２２】
請求項１８ないし請求項２０のいずれかに記載の画像形成装置において、
前記ユーザ操作は、前記着目区間画面において、前記格納部領域内の複数の小画像の配列順序を変更する順序変更操作であり、
前記ジョブ制御手段は、前記着目区間画面における前記順序変更操作に応じて、前記個別のジョブの処理対象の複数の画像データであって前記複数の小画像にそれぞれ対応する複数の画像データの出力処理の順序を、前記複数の小画像の変更後の前記配列順序に応じた順序に変更することを特徴とする画像形成装置。
【請求項２３】
請求項１ないし請求項１２のいずれかに記載の画像形成装置において、
前記表示制御手段は、
前記進捗状況確認画面において、前記複数の出力手段にそれぞれ対応する複数の出力済領域であって前記複数の出力手段のそれぞれによる出力処理の完了に応じてその領域内に前記小画像がそれぞれ描画される複数の出力済領域を、前記複数の出力部領域の近傍にそれぞれ配置し、
前記複数の出力手段のうち前記個別のジョブにて利用される前記出力手段による出力処理が完了すると、当該出力手段に対応する前記一の出力済領域内に前記小画像を描画することを特徴とする画像形成装置。
【請求項２４】
請求項２３に記載の画像形成装置において、
前記表示制御手段は、前記進捗状況確認画面において前記一の出力済領域が押下されると、前記一の出力済領域に対応する前記出力手段によって出力された出力済画像の一覧を示す画面を表示することを特徴とする画像形成装置。
【請求項２５】
請求項１ないし請求項１３のいずれかに記載の画像形成装置において、
ユーザからの指示に応じて、前記画像形成装置にて現在実行中のジョブに関する処理を、現在の処理速度よりも遅い処理速度で実行するジョブ制御手段、
をさらに備えることを特徴とする画像形成装置。
【請求項２６】
請求項１ないし請求項２５のいずれかに記載の画像形成装置において、
前記表示制御手段は、前記進捗状況確認画面において、出力処理の実行を待機しているジョブの一覧を示す待機リストを表示することを特徴とする画像形成装置。
【請求項２７】
請求項１１または請求項１２に記載の画像形成装置において、
前記表示制御手段は、
前記個別のジョブにおける処理対象の画像データであって所定数以下の複数の画像データが前記格納手段に格納されている場合、前記格納部領域内において、前記複数の画像データの枚数と同数の小画像を描画し、
前記個別のジョブにおける処理対象の画像データであって前記所定数よりも多数の画像データが前記格納手段に格納されている場合、前記格納部領域内においては、当該多数の画像データのうち前記所定数の画像データに関する小画像を描画し、当該多数の画像データのうち前記所定数の画像データ以外の画像データに関する小画像を描画しないことを特徴とする画像形成装置。
【請求項２８】
請求項２３に記載の画像形成装置において、
前記表示制御手段は、
前記個別のジョブにおける処理対象の画像データであって所定数以下の複数の画像データに対する出力処理が完了している場合、前記出力済領域内において、前記複数の画像データの枚数と同数の小画像を描画し、
前記個別のジョブにおける処理対象の画像データであって前記所定数よりも多数の画像データに対する出力処理が完了している場合、前記出力済領域内においては、当該多数の画像データのうち前記所定数の画像データに関する小画像を描画し、当該多数の画像データのうち前記所定数の画像データ以外の画像データに関する小画像を描画しないことを特徴とする画像形成装置。
【請求項２９】
請求項１ないし請求項２８のいずれかに記載の画像形成装置において、
前記表示制御手段は、前記複数の入力部領域のうち、前記画像形成装置にて現在実行中のジョブにて利用される入力手段に対応する入力部領域のみを表示するとともに、前記複数の出力部領域のうち、前記画像形成装置にて現在実行中の当該ジョブにて利用される出力手段に対応する出力部領域のみを表示することを特徴とする画像形成装置。
【請求項３０】
請求項１ないし請求項２９のいずれかに記載の画像形成装置において、
前記表示制御手段は、前記進捗状況確認画面において、前記個別のジョブに関する詳細内容情報をも表示し、
前記詳細内容情報は、前記個別のジョブの種類と前記個別のジョブに関するユーザとのうちの少なくとも一方を含むことを特徴とする画像形成装置。
【請求項３１】
画像形成装置に内蔵されたコンピュータに、
ａ）複数のジョブの進捗状況を取得するステップと、
ｂ）前記複数のジョブの進捗状況を確認するための進捗状況確認画面において、前記画像形成装置の複数の入力手段であって画像に関する複数の入力手段にそれぞれ対応する複数の入力部領域と前記画像形成装置の複数の出力手段であって画像に関する複数の出力手段にそれぞれ対応する複数の出力部領域とをそれぞれ所定の位置に配置し、前記複数のジョブのうちの個別のジョブに応じて前記複数の入力部領域の中から選択された一の入力部領域であって前記個別のジョブにて利用される入力手段に対応する一の入力部領域と前記個別のジョブに応じて前記複数の出力部領域の中から選択された一の出力部領域であって前記個別のジョブにて利用される出力手段に対応する一の出力部領域とを接続する経路を、前記複数のジョブのうちの前記個別のジョブの処理経路として描画するとともに、当該処理経路上に前記個別のジョブに関する小画像を描画するステップと、
を実行させるためのプログラム。
【請求項３２】
表示装置であって、
画像形成装置にて処理される複数のジョブの進捗状況を確認するための進捗状況確認画面を表示する表示手段と、
前記進捗状況確認画面の表示動作を制御する表示制御手段であって、前記進捗状況確認画面において、前記画像形成装置の複数の入力手段であって画像に関する複数の入力手段にそれぞれ対応する複数の入力部領域と前記画像形成装置の複数の出力手段であって画像に関する複数の出力手段にそれぞれ対応する複数の出力部領域とをそれぞれ所定の位置に配置する表示制御手段と、
を備え、
前記表示制御手段は、前記進捗状況確認画面において、前記複数のジョブのうちの個別のジョブに応じて前記複数の入力部領域の中から選択された一の入力部領域であって前記個別のジョブにて利用される入力手段に対応する一の入力部領域と前記個別のジョブに応じて前記複数の出力部領域の中から選択された一の出力部領域であって前記個別のジョブにて利用される出力手段に対応する一の出力部領域とを接続する経路を、前記複数のジョブのうちの前記個別のジョブの処理経路として描画するとともに、当該処理経路上に前記個別のジョブに関する小画像を描画することを特徴とする表示装置。
【発明の詳細な説明】
【技術分野】
【０００１】
本発明は、ＭＦＰ（マルチ・ファンクション・ペリフェラル（Multi-Functional Peripheral））等の画像形成装置およびそれに関連する技術に関する。
【背景技術】
【０００２】
画像形成装置において実行中の一のジョブの進捗状況を表示する技術が存在する。
【０００３】
たとえば、特許文献１においては、或る１つのジョブに関して、画像データが入力されてから出力されるまでの間に順次実行される複数種類の画像処理の処理経路およびサムネイル画像が表示部に表示される。そして、当該或る１つのジョブの進捗状況に応じて、処理経路の表示状態が更新されるとともにサムネイル画像の表示位置が更新される。これにより、ユーザは、当該或る１つのジョブの進捗状況を容易に確認することが可能である。
【先行技術文献】
【特許文献】
【０００４】
【特許文献１】特開２０１４−３４１２号公報
【発明の概要】
【発明が解決しようとする課題】
【０００５】
しかしながら、特許文献１では、複数のジョブが画像形成装置にて実行されている状況は考慮されていない。
【０００６】
そこで、この発明は、複数のジョブが実行されている場合であっても、各ジョブの進捗状況を容易に確認することが可能な技術を提供することを課題とする。
【課題を解決するための手段】
【０００７】
上記課題を解決すべく、請求項１の発明は、画像形成装置であって、画像に関する複数の入力手段と、画像に関する複数の出力手段と、複数のジョブの進捗状況を確認するための進捗状況確認画面の表示動作を制御する表示制御手段であって、前記進捗状況確認画面において、前記複数の入力手段にそれぞれ対応する複数の入力部領域と前記複数の出力手段にそれぞれ対応する複数の出力部領域とをそれぞれ所定の位置に配置する表示制御手段と、を備え、前記表示制御手段は、前記進捗状況確認画面において、前記複数のジョブのうちの個別のジョブに応じて前記複数の入力部領域の中から選択された一の入力部領域であって前記個別のジョブにて利用される入力手段に対応する一の入力部領域と前記個別のジョブに応じて前記複数の出力部領域の中から選択された一の出力部領域であって前記個別のジョブにて利用される出力手段に対応する一の出力部領域とを接続する経路を、前記複数のジョブのうちの前記個別のジョブの処理経路として描画するとともに、当該処理経路上に前記個別のジョブに関する小画像を描画することを特徴とする。
【０００８】
請求項２の発明は、請求項１の発明に係る画像形成装置において、前記表示制御手段は、前記進捗状況確認画面において、第１のジョブに関する表示要素であって前記第１のジョブの処理経路と当該第１のジョブの処理経路上の小画像とのうちの少なくとも一方を含む表示要素である第１の表示要素と、前記第１のジョブとは異なる第２のジョブに関する表示要素であって前記第２のジョブの処理経路と当該第２のジョブの処理経路上の小画像とのうちの少なくとも一方を含む表示要素である第２の表示要素とを、互いに異なる表示態様で表示することを特徴とする。
【０００９】
請求項３の発明は、請求項１の発明に係る画像形成装置において、前記表示制御手段は、前記進捗状況確認画面において、第１のユーザの第１のジョブに関する表示要素であって前記第１のジョブの処理経路と当該第１のジョブの処理経路上の小画像とのうちの少なくとも一方を含む表示要素である第１の表示要素と、前記第１のユーザ以外の第２のユーザの第２のジョブに関する表示要素であって前記第２のジョブの処理経路と当該第２のジョブの処理経路上の小画像とのうちの少なくとも一方を含む表示要素である第２の表示要素とを、互いに異なる表示態様で表示することを特徴とする。
【００１０】
請求項４の発明は、請求項２または請求項３の発明に係る画像形成装置において、前記第１の表示要素は、前記第１のジョブの処理経路を表現する線と当該第１のジョブの処理経路上の小画像の枠線とのうちの少なくとも一方である第１の線要素を含み、前記第２の表示要素は、前記第２のジョブの処理経路を表現する線と当該第２のジョブの処理経路上の小画像の枠線とのうちの少なくとも一方である第２の線要素を含み、前記表示制御手段は、前記第１の線要素と前記第２の線要素とを互いに異なる色を用いて表示することを特徴とする。
【００１１】
請求項５の発明は、請求項２または請求項３の発明に係る画像形成装置において、前記第１の表示要素は、前記第１のジョブの処理経路を表現する線と当該第１のジョブの処理経路上の小画像の枠線とのうちの少なくとも一方である第１の線要素を含み、前記第２の表示要素は、前記第２のジョブの処理経路を表現する線と当該第２のジョブの処理経路上の小画像の枠線とのうちの少なくとも一方である第２の線要素を含み、前記表示制御手段は、前記第１の線要素と前記第２の線要素とを互いに異なる種類の線を用いて表示することを特徴とする。
【００１２】
請求項６の発明は、請求項３の発明に係る画像形成装置において、前記表示制御手段は、前記第１のユーザのログイン中において、前記進捗状況確認画面における前記第１のユーザの前記第１のジョブに関する前記第１の表示要素を、前記第２のユーザの前記第２のジョブに関する前記第２の表示要素よりも強調して表示することを特徴とする。
【００１３】
請求項７の発明は、請求項１の発明に係る画像形成装置において、前記表示制御手段は、前記進捗状況確認画面において、第１のユーザの第１のジョブの処理経路を表現する線と当該第１のジョブの処理経路上の小画像の枠線とのうちの少なくとも一方を含む第１の線要素と、前記第１のユーザ以外の第２のユーザの第２のジョブの処理経路を表現する線と当該第２のジョブの処理経路上の小画像の枠線とのうちの少なくとも一方を含む第２の線要素とを、互いに異なる色を用いて表示するとともに、前記第２のユーザの前記第２のジョブに関する前記第２の線要素と、前記第２のユーザの第３のジョブであって前記第２のジョブとは異なる第３のジョブの処理経路を表現する線と当該第３のジョブの処理経路上の小画像の枠線とのうちの少なくとも一方を含む第３の線要素とを、同一色且つ互いに異なる種類の線を用いて表示することを特徴とする。
【００１４】
請求項８の発明は、請求項１の発明に係る画像形成装置において、前記表示制御手段は、第１のユーザのログイン中に表示される前記進捗状況確認画面においては、前記第１のユーザの第１のジョブの処理経路上の小画像としては、前記第１のジョブの処理対象画像のサムネイル画像を描画し、非ログイン中の第２のユーザの第２のジョブの処理経路上の小画像としては、前記サムネイル画像ではなくダミー画像を描画することを特徴とする。
【００１５】
請求項９の発明は、請求項１ないし請求項８のいずれかの発明に係る画像形成装置において、前記表示制御手段は、前記複数のジョブの中から所望のジョブを表示対象として指定するジョブ指定操作が受け付けられると、前記進捗状況確認画面において、前記所望のジョブに関する表示要素であって前記所望のジョブの処理経路と当該所望のジョブの処理経路上の小画像とのうちの少なくとも一方を含む表示要素を表示する一方で、前記複数のジョブのうちの前記所望のジョブ以外のジョブである非指定ジョブに関する表示要素であって前記非指定ジョブの処理経路と当該非指定ジョブの処理経路上の小画像とのうちの少なくとも一方を含む表示要素を非表示にすることを特徴とする。
【００１６】
請求項１０の発明は、請求項１ないし請求項９のいずれかの発明に係る画像形成装置において、前記表示制御手段は、前記個別のジョブの進捗状況に応じて、前記個別のジョブの処理経路上の複数の位置のいずれかに前記小画像を描画することを特徴とする。
【００１７】
請求項１１の発明は、請求項１０の発明に係る画像形成装置において、前記複数の入力手段のいずれかを介して入力された画像データであって前記複数の出力手段のいずれかによって出力される前の画像データを格納する格納手段、をさらに備え、前記表示制御手段は、前記進捗状況確認画面において、前記格納手段に対応する格納部領域を、前記複数の入力部領域を含む入力部群領域と前記複数の出力部領域を含む出力部群領域との間に配置し、前記個別のジョブの処理経路は、前記一の入力部領域と前記格納部領域とを接続する入力側処理経路と、前記格納部領域と前記一の出力部領域とを接続する出力側処理経路とを有することを特徴とする。
【００１８】
請求項１２の発明は、請求項１１の発明に係る画像形成装置において、前記複数の位置は、前記入力側処理経路上の位置と前記格納部領域内の位置と前記出力側処理経路上の位置とのいずれかを含むことを特徴とする。
【００１９】
請求項１３の発明は、請求項１１または請求項１２の発明に係る画像形成装置において、前記個別のジョブの処理経路は、複数の区間を有し、前記表示制御手段は、前記進捗状況確認画面においてユーザによる区間指定操作に基づき当該複数の区間の中から指定区間が指定されると、前記複数の区間のうち着目対象の一部の区間である着目区間であって前記指定区間に応じた着目区間内の小画像に対するユーザ操作を受け付ける着目区間画面を表示し、前記画像形成装置は、前記個別のジョブにおいて、前記着目区間画面における前記ユーザ操作に応じた処理を実行するジョブ制御手段、をさらに備えることを特徴とする。
【００２０】
請求項１４の発明は、請求項１３の発明に係る画像形成装置において、前記複数の区間は、前記一の入力部領域を含む入力側区間を有し、前記表示制御手段は、前記入力側区間に対応する表示要素に対する押下操作により前記入力側区間が前記指定区間として指定されると、前記入力側区間内の小画像に対する前記ユーザ操作を受け付ける画面を前記着目区間画面として表示することを特徴とする。
【００２１】
請求項１５の発明は、請求項１４の発明に係る画像形成装置において、前記表示制御手段は、前記着目区間画面において前記格納部領域をも表示し、前記ユーザ操作は、前記着目区間画面において、前記入力側処理経路上の小画像を前記格納部領域に向かう向きへと移動させる移動操作であり、前記ジョブ制御手段は、前記入力側区間を前記指定区間として指定する前記押下操作に応じて、前記着目区間画面を表示するとともに、前記個別のジョブにおける画像データの入力処理を一時的に中断し、前記着目区間画面における前記移動操作に応じて、一時的に中断されていた前記入力処理を再開することを特徴とする。
【００２２】
請求項１６の発明は、請求項１３の発明に係る画像形成装置において、前記複数の区間は、前記一の出力部領域を含む出力側区間を有し、前記表示制御手段は、前記出力側区間に対応する表示要素に対する押下操作により前記出力側区間が前記指定区間として指定されると、前記出力側区間内の小画像に対する前記ユーザ操作を受け付ける画面を前記着目区間画面として表示することを特徴とする。
【００２３】
請求項１７の発明は、請求項１６の発明に係る画像形成装置において、前記ユーザ操作は、前記着目区間画面において、前記出力側処理経路上の小画像を前記一の出力部領域に向かう向きへと移動させる移動操作であり、前記ジョブ制御手段は、前記出力側区間を前記指定区間として指定する前記押下操作に応じて、前記着目区間画面を表示するとともに、前記個別のジョブにおける画像データの出力処理を一時的に中断し、前記着目区間画面における前記移動操作に応じて、一時的に中断されていた前記出力処理を再開することを特徴とする。
【００２４】
請求項１８の発明は、請求項１３の発明に係る画像形成装置において、前記複数の区間は、前記一の入力部領域を含む入力側区間と、前記入力側区間よりも出力側に設けられ且つ前記格納部領域を含む中間区間とを有し、前記表示制御手段は、前記入力側区間に対応する表示要素に対する押下操作により前記入力側区間が前記指定区間として指定されると、前記中間区間内の小画像に対するユーザ操作を受け付ける画面を前記着目区間画面として表示することを特徴とする。
【００２５】
請求項１９の発明は、請求項１３の発明に係る画像形成装置において、前記複数の区間は、前記一の出力部領域を含む出力側区間と、前記出力側区間よりも入力側に設けられ且つ前記格納部領域を含む中間区間とを有し、前記表示制御手段は、前記出力側区間に対応する表示要素に対する押下操作により前記出力側区間が前記指定区間として指定されると、前記中間区間内の小画像に対する前記ユーザ操作を受け付ける画面を前記着目区間画面として表示することを特徴とする。
【００２６】
請求項２０の発明は、請求項１３の発明に係る画像形成装置において、前記複数の区間は、前記一の入力部領域と前記一の出力部領域との間に設けられ且つ前記格納部領域を含む中間区間を有し、前記表示制御手段は、前記中間区間に対応する表示要素に対する押下操作により前記中間区間が前記指定区間として指定されると、前記中間区間内の小画像に対する前記ユーザ操作を受け付ける画面を前記着目区間画面として表示することを特徴とする。
【００２７】
請求項２１の発明は、請求項１８ないし請求項２０のいずれかの発明に係る画像形成装置において、前記ユーザ操作は、前記着目区間画面における前記格納部領域内の特定の小画像に関する削除指示操作であり、前記ジョブ制御手段は、前記着目区間画面における前記削除指示操作に応じて、前記個別のジョブの処理対象の画像データであって前記特定の小画像に対応する画像データを前記格納手段から削除することを特徴とする。
【００２８】
請求項２２の発明は、請求項１８ないし請求項２０のいずれかの発明に係る画像形成装置において、前記ユーザ操作は、前記着目区間画面において、前記格納部領域内の複数の小画像の配列順序を変更する順序変更操作であり、前記ジョブ制御手段は、前記着目区間画面における前記順序変更操作に応じて、前記個別のジョブの処理対象の複数の画像データであって前記複数の小画像にそれぞれ対応する複数の画像データの出力処理の順序を、前記複数の小画像の変更後の前記配列順序に応じた順序に変更することを特徴とする。
【００２９】
請求項２３の発明は、請求項１ないし請求項１２のいずれかの発明に係る画像形成装置において、前記表示制御手段は、前記進捗状況確認画面において、前記複数の出力手段にそれぞれ対応する複数の出力済領域であって前記複数の出力手段のそれぞれによる出力処理の完了に応じてその領域内に前記小画像がそれぞれ描画される複数の出力済領域を、前記複数の出力部領域の近傍にそれぞれ配置し、前記複数の出力手段のうち前記個別のジョブにて利用される前記出力手段による出力処理が完了すると、当該出力手段に対応する前記一の出力済領域内に前記小画像を描画することを特徴とする。
【００３０】
請求項２４の発明は、請求項２３の発明に係る画像形成装置において、前記表示制御手段は、前記進捗状況確認画面において前記一の出力済領域が押下されると、前記一の出力済領域に対応する前記出力手段によって出力された出力済画像の一覧を示す画面を表示することを特徴とする。
【００３１】
請求項２５の発明は、請求項１ないし請求項１３のいずれかの発明に係る画像形成装置において、ユーザからの指示に応じて、前記画像形成装置にて現在実行中のジョブに関する処理を、現在の処理速度よりも遅い処理速度で実行するジョブ制御手段、をさらに備えることを特徴とする。
【００３２】
請求項２６の発明は、請求項１ないし請求項２５のいずれかの発明に係る画像形成装置において、前記表示制御手段は、前記進捗状況確認画面において、出力処理の実行を待機しているジョブの一覧を示す待機リストを表示することを特徴とする。
【００３３】
請求項２７の発明は、請求項１１または請求項１２の発明に係る画像形成装置において、前記表示制御手段は、前記個別のジョブにおける処理対象の画像データであって所定数以下の複数の画像データが前記格納手段に格納されている場合、前記格納部領域内において、前記複数の画像データの枚数と同数の小画像を描画し、前記個別のジョブにおける処理対象の画像データであって前記所定数よりも多数の画像データが前記格納手段に格納されている場合、前記格納部領域内においては、当該多数の画像データのうち前記所定数の画像データに関する小画像を描画し、当該多数の画像データのうち前記所定数の画像データ以外の画像データに関する小画像を描画しないことを特徴とする。
【００３４】
請求項２８の発明は、請求項２３の発明に係る画像形成装置において、前記表示制御手段は、前記個別のジョブにおける処理対象の画像データであって所定数以下の複数の画像データに対する出力処理が完了している場合、前記出力済領域内において、前記複数の画像データの枚数と同数の小画像を描画し、前記個別のジョブにおける処理対象の画像データであって前記所定数よりも多数の画像データに対する出力処理が完了している場合、前記出力済領域内においては、当該多数の画像データのうち前記所定数の画像データに関する小画像を描画し、当該多数の画像データのうち前記所定数の画像データ以外の画像データに関する小画像を描画しないことを特徴とする。
【００３５】
請求項２９の発明は、請求項１ないし請求項２８のいずれかの発明に係る画像形成装置において、前記表示制御手段は、前記複数の入力部領域のうち、前記画像形成装置にて現在実行中のジョブにて利用される入力手段に対応する入力部領域のみを表示するとともに、前記複数の出力部領域のうち、前記画像形成装置にて現在実行中の当該ジョブにて利用される出力手段に対応する出力部領域のみを表示することを特徴とする。
【００３６】
請求項３０の発明は、請求項１ないし請求項２９のいずれかの発明に係る画像形成装置において、前記表示制御手段は、前記進捗状況確認画面において、前記個別のジョブに関する詳細内容情報をも表示し、前記詳細内容情報は、前記個別のジョブの種類と前記個別のジョブに関するユーザとのうちの少なくとも一方を含むことを特徴とする。
【００３７】
請求項３１の発明は、画像形成装置に内蔵されたコンピュータに、ａ）複数のジョブの進捗状況を取得するステップと、ｂ）前記複数のジョブの進捗状況を確認するための進捗状況確認画面において、前記画像形成装置の複数の入力手段であって画像に関する複数の入力手段にそれぞれ対応する複数の入力部領域と前記画像形成装置の複数の出力手段であって画像に関する複数の出力手段にそれぞれ対応する複数の出力部領域とをそれぞれ所定の位置に配置し、前記複数のジョブのうちの個別のジョブに応じて前記複数の入力部領域の中から選択された一の入力部領域であって前記個別のジョブにて利用される入力手段に対応する一の入力部領域と前記個別のジョブに応じて前記複数の出力部領域の中から選択された一の出力部領域であって前記個別のジョブにて利用される出力手段に対応する一の出力部領域とを接続する経路を、前記複数のジョブのうちの前記個別のジョブの処理経路として描画するとともに、当該処理経路上に前記個別のジョブに関する小画像を描画するステップと、を実行させるためのプログラムであることを特徴とする。
【００３８】
請求項３２の発明は、表示装置であって、画像形成装置にて処理される複数のジョブの進捗状況を確認するための進捗状況確認画面を表示する表示手段と、前記進捗状況確認画面の表示動作を制御する表示制御手段であって、前記進捗状況確認画面において、前記画像形成装置の複数の入力手段であって画像に関する複数の入力手段にそれぞれ対応する複数の入力部領域と前記画像形成装置の複数の出力手段であって画像に関する複数の出力手段にそれぞれ対応する複数の出力部領域とをそれぞれ所定の位置に配置する表示制御手段と、を備え、前記表示制御手段は、前記進捗状況確認画面において、前記複数のジョブのうちの個別のジョブに応じて前記複数の入力部領域の中から選択された一の入力部領域であって前記個別のジョブにて利用される入力手段に対応する一の入力部領域と前記個別のジョブに応じて前記複数の出力部領域の中から選択された一の出力部領域であって前記個別のジョブにて利用される出力手段に対応する一の出力部領域とを接続する経路を、前記複数のジョブのうちの前記個別のジョブの処理経路として描画するとともに、当該処理経路上に前記個別のジョブに関する小画像を描画することを特徴とする。
【発明の効果】
【００３９】
請求項１ないし請求項３２に記載の発明によれば、進捗状況確認画面において、各ジョブの処理経路が描画され、当該処理経路上に当該各ジョブに関する小画像が描画されるので、複数のジョブが実行されている場合であっても、各ジョブの進捗状況を容易に確認することが可能である。
【００４０】
特に、請求項２に記載の発明によれば、第１のジョブに関する表示要素と第２のジョブに関する表示要素とが互いに異なる表示態様で表示されるので、ユーザは、各ジョブを視覚的に区別して確認することが可能である。
【００４１】
また、特に、請求項３に記載の発明によれば、第１のユーザの第１のジョブに関する表示要素と第２のユーザの第２のジョブに関する表示要素とが互いに異なる表示態様で表示されるので、画像形成装置の操作ユーザは、自身のジョブと他ユーザのジョブとを視覚的に区別して確認することが可能である。
【００４２】
また、特に、請求項６に記載の発明によれば、第１のユーザのログイン中においては、第１のユーザの第１のジョブに関する表示要素が、第２のユーザの第２のジョブに関する表示要素よりも強調して表示されるので、ログイン中の当該第１のユーザは、進捗状況確認画面にて表示される複数のジョブの中から自身のジョブを容易に見つけ出すことが可能である。
【００４３】
また、特に、請求項８に記載の発明によれば、第１のユーザのログイン中に表示される進捗状況確認画面においては、非ログイン中の第２のユーザの第２のジョブの処理経路上の小画像としては、サムネイル画像ではなくダミー画像が描画されるので、非ログイン中の当該第２のユーザのジョブに関する情報が漏洩すること、を回避することが可能である。
【図面の簡単な説明】
【００４４】
【図１】画像形成装置（ＭＦＰ）の外観を示す図である。
【図２】画像形成装置の機能ブロックを示す図である。
【図３】トップメニュー画面を示す図である。
【図４】進捗状況確認画面を示す図である。
【図５】コピージョブ（のみ）が実行されている場合の進捗状況確認画面を示す図である。
【図６】コピージョブ（のみ）が実行されている場合の進捗状況確認画面を示す図である。
【図７】コピージョブ（のみ）が実行されている場合の進捗状況確認画面を示す図である。
【図８】コピージョブ（のみ）が実行されている場合の進捗状況確認画面を示す図である。
【図９】ジョブ管理テーブルを示す図である。
【図１０】ジョブ管理テーブルを示す図である。
【図１１】ジョブ管理テーブルを示す図である。
【図１２】ジョブ管理テーブルを示す図である。
【図１３】スキャンジョブ（のみ）が実行されている場合の進捗状況確認画面を示す図である。
【図１４】プリントジョブ（のみ）が実行されている場合の進捗状況確認画面を示す図である。
【図１５】ＦＡＸ受信ジョブ（のみ）が実行されている場合の進捗状況確認画面を示す図である。
【図１６】複数のジョブが実行されている場合の進捗状況確認画面を示す図である。
【図１７】第２実施形態に係る進捗状況確認画面を示す図である。
【図１８】第３実施形態に係る進捗状況確認画面を示す図である。
【図１９】第４実施形態に係る進捗状況確認画面を示す図である。
【図２０】第５実施形態に係る進捗状況確認画面を示す図である。
【図２１】第６実施形態に係る進捗状況確認画面を示す図である。
【図２２】入力側区間画面を示す図である。
【図２３】入力側区間画面を示す図である。
【図２４】入力側区間画面を示す図である。
【図２５】入力側区間画面を示す図である。
【図２６】出力側区間画面を示す図である。
【図２７】出力側区間画面を示す図である。
【図２８】中間区間画面を示す図である。
【図２９】出力済区間画面を示す図である。
【図３０】第７実施形態に係る進捗状況確認画面を示す図である。
【図３１】変形例に係る進捗状況確認画面を示す図である。
【図３２】変形例に係る進捗状況確認画面を示す図である。
【図３３】進捗状況確認画面を示す図である。
【図３４】比較例を示す図である。
【発明を実施するための形態】
【００４５】
以下、本発明の実施形態を図面に基づいて説明する。
【００４６】
＜１．第１実施形態＞
＜１−１．構成概要＞
図１は、画像形成装置１０の外観を示す図であり、図２は、画像形成装置１０の機能ブロックを示す図である。ここでは、画像形成装置１０として、ＭＦＰ（マルチ・ファンクション・ペリフェラル（Multi-Functional Peripheral））を例示する。
【００４７】
ＭＦＰ１０は、スキャン機能、コピー機能、ファクシミリ機能およびボックス格納機能などを備える装置（複合機とも称する）である。具体的には、ＭＦＰ１０は、図２の機能ブロック図に示すように、画像読取部２、印刷出力部３、通信部４、格納部５、操作部６およびコントローラ９等を備えており、これらの各部を複合的に動作させることによって、各種の機能を実現する。
【００４８】
このＭＦＰ１０は、後述のように、画像に関する複数（ここでは３つ）の入力手段と、画像に関する複数（ここでは３つ）の出力手段とを有している。また、ＭＦＰ１０にて実行されるジョブにおいては、当該複数の入力手段のいずれかを用いて画像データが入力され、当該複数の出力手段のいずれかを用いて画像データが出力される。
【００４９】
画像読取部（スキャン部とも称される）２は、ＭＦＰ１０の所定の位置に載置された原稿を光学的に読み取って（すなわちスキャンして）、当該原稿の画像データ（入力画像データ）（原稿画像データないしスキャン画像データとも称する）を生成する処理部である。この画像読取部２は、スキャン処理（読取処理）によって生成された画像データ（スキャン画像データ）を利用するジョブ（コピージョブ、スキャンジョブ、ＦＡＸ送信ジョブ等）における入力手段（画像データ入力部）として動作する。
【００５０】
印刷出力部３は、印刷対象に関するデータに基づいて紙などの各種の媒体に画像（画像データ）を印刷出力する出力部である。この印刷出力部３は、印刷対象の画像データ（出力画像データ）を印刷出力するジョブ（プリントジョブ、ＦＡＸ受信ジョブ等）における出力手段（画像データ出力部）として動作する。
【００５１】
通信部４は、各種通信を行うことが可能な処理部である。
【００５２】
具体的には、通信部４は、ネットワーク通信を行うネットワーク通信部４ｘを備える。ネットワーク通信部４ｘは、各種データを送信するネットワーク送信部４ａと各種データを受信するネットワーク受信部４ｂとを有する。このネットワーク通信では、たとえば、ＴＣＰ／ＩＰ（Transmission Control Protocol / Internet Protocol）等の各種のプロトコルが利用される。ネットワーク受信部４ｂは、ネットワーク通信にて受信された各種データ（詳細には入力画像データ）を利用するジョブ（たとえばプリントジョブ）における入力手段として動作する。ネットワーク送信部４ａは、当該ネットワーク通信にて他の装置に対して各種データ（詳細には出力画像データ）を送信するジョブ（たとえばスキャンジョブ）における出力手段として動作する。
【００５３】
また、通信部４は、公衆回線等を介したファクシミリ通信を行うファクシミリ通信部４ｙ（単に、ＦＡＸ通信部４ｙとも称する）をも備える。ファクシミリ通信部４ｙは、ファクシミリ送信部４ｃ（単に、ＦＡＸ送信部４ｃとも称する）とファクシミリ受信部４ｄ（単に、ＦＡＸ受信部４ｄとも称する）とを有する。ファクシミリ受信部４ｄは、公衆回線等を介して受信されたファクシミリ受信データ（入力画像データ）を利用するジョブ（たとえばＦＡＸ受信ジョブ）における入力手段として動作する。ファクシミリ送信部４ｃは、ファクシミリ送信データ（出力画像データ）を公衆回線等を介して送信するジョブ（たとえばＦＡＸ送信ジョブ）における出力手段として動作する。
【００５４】
格納部５は、ハードディスクドライブ（ＨＤＤ）等の記憶装置で構成される。格納部５は、各種の画像データ等を記憶する。また、格納部５は、複数の入力手段のいずれかを介して入力された画像データを格納するとともに、複数の出力手段のいずれかによって出力される前の画像データ（出力を待機している画像データ）を格納する。すなわち、当該格納部５は、画像データの中間バッファとして機能している。また、格納部５には、画像生成部１６によって生成されたサムネイル画像Ｔもが格納される。さらに、格納部５は、ＭＦＰ１０にて実行中（処理中）のジョブの進捗状況を含むジョブ管理情報をジョブ管理テーブル８００（図９等参照）に格納する。たとえば、当該ジョブ管理テーブル８００には、ジョブ番号、ジョブ種類、ユーザＩＤ、入力動作状態、入力済ページ数、出力動作状態および出力済ページ数がジョブ管理情報として登録される。
【００５５】
操作部６は、ＭＦＰ１０に対する操作入力を受け付ける操作入力部６ａと、各種情報の表示出力を行う表示部６ｂとを備えている。
【００５６】
このＭＦＰ１０においては、略板状の操作パネル部６ｃ（図１参照）が設けられている。また、操作パネル部６ｃは、その正面側にタッチパネル２５（図１参照）を有している。タッチパネル２５は、操作入力部６ａの一部としても機能するとともに、表示部６ｂの一部としても機能する。タッチパネル２５は、液晶表示パネルに圧電センサ等が埋め込まれて構成され、各種情報を表示するとともに操作者（ユーザ）による操作入力（ボタンの押下操作等）を受け付けることが可能である。
【００５７】
コントローラ９は、ＭＦＰ１０に内蔵され、ＭＦＰ１０を統括的に制御する制御装置である。コントローラ９は、ＣＰＵおよび各種の半導体メモリ（ＲＡＭおよびＲＯＭ）等を備えるコンピュータシステムとして構成される。コントローラ９は、ＣＰＵにおいて、ＲＯＭ（例えば、ＥＥＰＲＯＭ（登録商標））内に格納されている所定のソフトウエアプログラム（以下、単にプログラムとも称する）を実行することによって、各種の処理部を実現する。なお、当該プログラム（詳細にはプログラムモジュール群）は、ＵＳＢメモリなどの可搬性の記録媒体に記録され、当該記録媒体を介してＭＦＰ１０にインストールされてもよく、あるいはネットワーク等を介してＭＦＰ１０にインストールされてもよい。
【００５８】
具体的には、図２に示すように、コントローラ９は、当該プログラムの実行により、通信制御部１１と入力制御部１２と表示制御部１３とジョブ制御部１４と画像処理部１５と画像生成部１６とを含む各種の処理部を実現する。
【００５９】
通信制御部１１は、他の装置（たとえば外部端末）との間の通信動作を通信部４等と協働して制御する処理部である。通信制御部１１は、各種データの送信動作を制御する送信制御部と各種データの受信動作を制御する受信制御部とを有する。たとえば、通信制御部１１は、ネットワーク通信部４ｘと協働して、他の装置（外部端末等）との間で各種のデータ（画像データ等）の送受信を行う。また、通信制御部１１は、ファクシミリ通信部４ｙと協働して、各種のデータ（画像データ等）の送受信を行う。
【００６０】
入力制御部１２は、操作入力部６ａ（タッチパネル２５等）に対する操作入力動作を制御する制御部である。たとえば、入力制御部１２は、タッチパネル２５に表示された操作画面に対する操作入力（押下操作等）を受け付ける動作を制御する。
【００６１】
表示制御部１３は、表示部６ｂ（タッチパネル２５等）における表示動作を制御する処理部である。たとえば、表示制御部１３は、進捗状況確認画面３００（図４等参照）の表示動作を制御する。具体的には、表示制御部１３は、ジョブ管理テーブル８００におけるジョブの進捗状況を取得し、当該進捗状況に基づき進捗状況確認画面３００をタッチパネル２５に表示する。後述のように、この進捗状況確認画面３００において、表示制御部１３は、ジョブの処理経路Ｒ１０を描画するとともに、当該処理経路Ｒ１０上の複数の位置のうち当該ジョブの進捗状況に応じた位置に当該ジョブに関する小画像を描画（配置）する。なお、ここでは、当該小画像として、当該ジョブの処理対象画像の縮小画像（サムネイル画像Ｔ）が用いられる。ただし、これに限定されず、たとえば、当該小画像としてアイコン等が用いられてもよい。
【００６２】
ジョブ制御部１４は、ジョブ（ジョブ全体）の実行動作等を制御する処理部である。
【００６３】
画像処理部１５は、画像データ（圧縮済画像データ）に対して各種の画像処理（画像加工処理）（たとえば解像度変換処理）を実行する動作等を制御する処理部である。
【００６４】
画像生成部１６は、サムネイル画像Ｔ（サムネイル画像データ）を生成する動作等を制御する。たとえば、画像生成部１６は、入力画像データ（たとえば原稿のスキャン画像データ）に基づくサムネイル画像Ｔを生成する。また、画像生成部１６は、出力画像データに基づくサムネイル画像Ｔをも生成する。
【００６５】
＜１−２．動作＞
この実施形態では、複数のジョブ（複数種類のジョブ）がＭＦＰ１０にて実行されている場合に、進捗状況確認画面３００（３０６）（図１７参照）において、各ジョブの処理経路Ｒ１０がそれぞれ描画されるとともに、当該各ジョブに関するサムネイル画像Ｔが当該各ジョブの処理経路Ｒ１０上に描画される。また、当該進捗状況確認画面３００においては、各ジョブに関する表示要素が、ジョブごとに互いに異なる表示態様で表示される。
【００６６】
このような態様について説明する前に、進捗状況確認画面３００および処理経路Ｒ１０の描画処理等について説明する。
【００６７】
＜１−２−１．進捗状況確認画面＞
まず、ジョブの進捗状況を確認するための進捗状況確認画面３００について詳述する。
【００６８】
図４は、進捗状況確認画面３００（３０１）を示す図である。この進捗状況確認画面３００は、操作パネル部６ｃ内のタッチパネル２５周辺に設けられたジョブ表示キー２５１（図３参照）の押下操作等によってタッチパネル２５に表示される。なお、図４の進捗状況確認画面３００（３０１）では、いずれのジョブもＭＦＰ１０にて実行していない状況が示されている。
【００６９】
図４に示すように、この進捗状況確認画面３００においては、入力部群領域Ａ２０と出力部群領域Ａ４０と格納部領域Ａ３０と接続線４１０，４５０とが表示されている。以下では、各要素についてそれぞれ説明する。
【００７０】
＜入力部群領域＞
まず、入力部群領域Ａ２０について説明する。図４に示すように、進捗状況確認画面３００内の左右方向（水平方向）における一方側（ここでは左側）には、入力部群領域Ａ２０が配置されている。
【００７１】
この入力部群領域Ａ２０内には、複数の入力部領域Ａ１０（ここでは３つの入力部領域Ａ１１〜Ａ１３）がそれぞれ配置されている。当該複数の入力部領域Ａ１０（Ａ１１〜Ａ１３）は、ＭＦＰ１０の複数の入力手段（画像に関する複数の入力手段）にそれぞれ対応する（１：１の対応関係を有する）領域である。具体的には、入力部領域Ａ１１は画像読取部２に対応する領域であり、入力部領域Ａ１２はネットワーク受信部４ｂに対応する領域であり、入力部領域Ａ１３はＦＡＸ受信部４ｄに対応する領域である。換言すれば、進捗状況確認画面３００には、ＭＦＰ１０の複数の入力手段の個数（ここでは画像読取部２とネットワーク受信部４ｂとＦＡＸ受信部４ｄとの３個）と同数の入力部領域Ａ１０（Ａ１１〜Ａ１３）がそれぞれ配置される。
【００７２】
また、各入力部領域Ａ１０（Ａ１１〜Ａ１３）は、入力部群領域Ａ２０内の所定の位置にそれぞれ配置される。具体的には、ＭＦＰ１０の入力手段の個数（３個）に応じて、入力部群領域Ａ２０が複数段（ここでは３段）に分けられる。そして、図４に示すように、入力部領域Ａ１１が３段の位置のうち最上段の位置に配置され、入力部領域Ａ１３が３段の位置のうち最下段の位置に配置され、入力部領域Ａ１２が、３段の位置のうち中段（入力部領域Ａ１１と入力部領域Ａ１３との間）の位置に配置される。
【００７３】
ＭＦＰ１０にて或るジョブが実行されている場合、当該或るジョブに応じて複数の入力部領域Ａ１０（Ａ１１〜Ａ１３）うちの一の入力部領域Ａ１０であって当該或るジョブにて利用される入力手段に対応する一の入力部領域Ａ１０が、当該或るジョブの処理経路Ｒ１０の起点側の領域として選択される。
【００７４】
たとえば、上述のように、コピージョブでは、画像データ（入力画像データ）の入力手段として画像読取部２が利用される。そして、ＭＦＰ１０にてコピージョブが実行されている場合には、複数の入力部領域Ａ１０（Ａ１１〜Ａ１３）の中から、当該画像読取部２に対応する入力部領域Ａ１１がコピージョブの処理経路Ｒ１０の起点側の領域として選択される。
【００７５】
同様に、ＭＦＰ１０にてプリントジョブが実行されている場合は、複数の入力部領域Ａ１０（Ａ１１〜Ａ１３）の中から、当該プリントジョブにて入力手段として利用されるネットワーク受信部４ｂに対応する入力部領域Ａ１２が、プリントジョブの処理経路Ｒ１０の起点側の領域として選択される。また、ＭＦＰ１０にてＦＡＸ受信ジョブが実行されている場合は、複数の入力部領域Ａ１０（Ａ１１〜Ａ１３）の中から、当該ＦＡＸ受信ジョブにて入力手段として利用されるＦＡＸ受信部４ｄに対応する入力部領域Ａ１３が、ＦＡＸ受信ジョブの処理経路Ｒ１０の起点側の領域として選択される。
【００７６】
このように、ＭＦＰ１０にて実行中のジョブに応じて、複数の入力部領域Ａ１０（Ａ１１〜Ａ１３）の中から一の入力部領域Ａ１０が、当該ジョブの処理経路Ｒ１０の起点側の領域として選択される。
【００７７】
また、たとえばスキャンジョブがＭＦＰ１０にて実行されている場合は、コピージョブと同様に、複数の入力部領域Ａ１０（Ａ１１〜Ａ１３）の中から画像読取部２に対応する入力部領域Ａ１１がスキャンジョブの処理経路Ｒ１０の起点側の領域として選択される。
【００７８】
このように、コピージョブとスキャンジョブとの複数種類のジョブにおいて一の入力部領域Ａ１０（Ａ１１）が、当該複数種類のジョブの処理経路Ｒ１０の起点側の領域としてそれぞれ選択される。換言すれば、互いに異なる複数種類のジョブのうち２種類以上のジョブにて一の入力手段（たとえば画像読取部２）が共用される場合、複数の入力部領域Ａ１０のうち当該共用される入力手段（画像読取部２）に対応する一の入力部領域Ａ１０（Ａ１１）が、当該２種類以上のジョブにおける処理経路Ｒ１０の起点側の領域として共用される。
【００７９】
＜出力部群領域＞
つぎに、出力部群領域Ａ４０について説明する。図４に示すように、進捗状況確認画面３００内の左右方向（水平方向）における他方側（ここでは右側）には、出力部群領域Ａ４０が配置されている。
【００８０】
この出力部群領域Ａ４０内には、複数の出力部領域Ａ５０（ここでは３つの出力部領域Ａ５１〜Ａ５３）がそれぞれ配置されている。当該複数の出力部領域Ａ５０（Ａ５１〜Ａ５３）は、ＭＦＰ１０の複数の出力手段（画像に関する複数の出力手段）にそれぞれ対応する（１：１の対応関係を有する）領域である。具体的には、出力部領域Ａ５１は印刷出力部３に対応する領域であり、出力部領域Ａ５２はネットワーク送信部４ａに対応する領域であり、出力部領域Ａ５３はＦＡＸ送信部４ｃに対応する領域である。換言すれば、進捗状況確認画面３００においては、ＭＦＰ１０の出力手段の個数（ここでは印刷出力部３とネットワーク送信部４ａとＦＡＸ送信部４ｃとの３個）と同数の出力部領域Ａ５０（Ａ５１〜Ａ５３）がそれぞれ配置される。
【００８１】
また、各出力部領域Ａ５０（Ａ５１〜Ａ５３）は、出力部群領域Ａ４０内の所定の位置にそれぞれ配置される。具体的には、ＭＦＰ１０の出力手段の個数（３個）に応じて、入力部群領域Ａ２０が複数段（ここでは３段）に分けられる。そして、図４に示すように、出力部領域Ａ５１が３段の位置のうち最上段の位置に配置され、出力部領域Ａ５３が３段の位置のうち最下段の位置に配置され、出力部領域Ａ５２が、３段の位置のうち中段（出力部領域Ａ５１と出力部領域Ａ５３との間）の位置に配置される。
【００８２】
なお、ＭＦＰ１０が、比較的多数の入力手段あるいは比較的多数の出力手段を有する場合は、図３３に示すように、進捗状況確認画面３００（３１８）の表示に際してスクロールバー３８０が用いられるようにしてもよい。
【００８３】
ＭＦＰ１０にて或るジョブが実行されている場合、当該或るジョブに応じて複数の出力部領域Ａ５０（Ａ５１〜Ａ５３）のうちの一の出力部領域Ａ５０であって当該或るジョブにて利用される出力手段に対応する一の出力部領域Ａ５０が、当該或るジョブの処理経路Ｒ１０の終点側の領域として選択される。
【００８４】
たとえば、上述のように、コピージョブでは、画像データ（出力画像データ）の出力手段として印刷出力部３が利用される。そして、ＭＦＰ１０にてコピージョブが実行されている場合には、複数の出力部領域Ａ５０（Ａ５１〜Ａ５３）の中から、当該印刷出力部３に対応する出力部領域Ａ５１が、当該コピージョブの処理経路Ｒ１０の終点側の領域として選択される。
【００８５】
同様に、ＭＦＰ１０にてスキャンジョブが実行されている場合は、複数の出力部領域Ａ５０（Ａ５１〜Ａ５３）の中から、当該スキャンジョブにて出力手段として利用されるネットワーク送信部４ａに対応する出力部領域Ａ５２が、当該スキャンジョブの処理経路Ｒ１０の終点側の領域として選択される。また、ＭＦＰ１０にてＦＡＸ送信ジョブが実行されている場合は、複数の出力部領域Ａ５０（Ａ５１〜Ａ５３）の中から、当該ＦＡＸ送信ジョブにて出力手段として利用されるＦＡＸ送信部４ｃに対応する出力部領域Ａ５３が、当該ＦＡＸ送信ジョブの処理経路Ｒ１０の終点側の領域として選択される。
【００８６】
このように、ＭＦＰ１０にて実行中のジョブに応じて、複数の出力部領域Ａ５０（Ａ５１〜Ａ５３）の中から一の出力部領域Ａ５０が、当該ジョブの処理経路Ｒ１０の終点側の領域として選択される。
【００８７】
また、たとえばプリントジョブがＭＦＰ１０にて実行されている場合は、コピージョブと同様に、複数の出力部領域Ａ５０（Ａ５１〜Ａ５３）の中から印刷出力部３に対応する出力部領域Ａ５１が当該プリントジョブの処理経路Ｒ１０の終点側の領域として選択される。
【００８８】
このように、コピージョブとプリントジョブとの複数種類のジョブにおいて一の出力部領域Ａ５０（Ａ５１）が、当該複数種類のジョブの処理経路Ｒ１０の終点側の領域としてそれぞれ選択される。換言すれば、互いに異なる複数種類のジョブのうち２種類以上のジョブにて一の出力手段（たとえば印刷出力部３）が共用される場合、複数の出力部領域Ａ５０のうち当該共用される出力手段（印刷出力部３）に対応する一の出力部領域Ａ５０（Ａ５１）が、当該２種類以上のジョブにおける処理経路Ｒ１０の終点側の領域として共用される。
【００８９】
さらに、図４に示すように、この出力部群領域Ａ４０内には、複数の出力手段（複数の出力部領域Ａ５０）にそれぞれ対応する複数の出力済領域Ａ７０（ここでは３つの出力済領域Ａ７１〜Ａ７３）もが配置されている。各出力済領域Ａ７１〜Ａ７３は各出力部領域（各出力手段に対応する各出力部領域）Ａ５１〜Ａ５３の近傍にそれぞれ配置される。後述のように、この出力済領域Ａ７０内には、対応する出力手段による出力処理の完了に応じて、当該出力手段から出力された出力画像データに関するサムネイル画像Ｔがその領域内に描画（配置）される。
【００９０】
具体的には、出力済領域Ａ７１は、印刷出力部３（印刷出力部３に対応する出力部領域Ａ５１）に対応する領域であり、当該出力済領域Ａ７１内には、印刷出力部３によって印刷出力された画像データ（出力画像データ）に関するサムネイル画像Ｔが描画（配置）される（図８等参照）。また、出力済領域Ａ７２は、ネットワーク送信部４ａ（ネットワーク送信部４ａに対応する出力部領域Ａ５２）に対応する領域であり、当該出力済領域Ａ７２内には、ネットワーク送信部４ａによって送信された出力画像データに関するサムネイル画像Ｔが描画される（図１３等参照）。また、出力済領域Ａ７３は、ＦＡＸ送信部４ｃ（ＦＡＸ送信部４ｃに対応する出力部領域Ａ５３）に対応する領域であり、当該出力済領域Ａ７３内には、ＦＡＸ送信部４ｃによって送信された出力画像データに関するサムネイル画像Ｔが描画される（不図示）。
【００９１】
＜格納部領域＞
さらに、格納部領域Ａ３０について説明する。図４に示すように、進捗状況確認画面３００においては、入力部群領域Ａ２０と出力部群領域Ａ４０との間（ここでは中間）に、格納部領域Ａ３０が配置されている。この格納部領域Ａ３０は、格納部５に対応する領域である。後述のように、当該格納部領域Ａ３０内には、複数の入力手段のいずれかを介して入力された画像データであって複数の出力手段のいずれかによって出力される前の画像データに関するサムネイル画像Ｔが描画（配置）される（図６等参照）。
【００９２】
＜接続線＞
最後に、接続線（入力側接続線４１０、出力側接続線４５０および出力側補助接続線４７０）について説明する。図４に示すように、進捗状況確認画面３００には、複数の入力側接続線４１０と複数の出力側接続線４５０と複数の出力側補助接続線４７０とがそれぞれ表示されている。
【００９３】
まず、複数の入力側接続線４１０（４１１〜４１３）は、複数の入力部領域Ａ１０（Ａ１１〜Ａ１３）のいずれかと格納部領域Ａ３０とを接続する線（水平の直線）でそれぞれ構成されている。
【００９４】
具体的には、入力側接続線４１１（最上段の接続線）は、複数の入力部領域Ａ１０（Ａ１１〜Ａ１３）のうち画像読取部２に対応する入力部領域Ａ１１と格納部領域Ａ３０とを接続する線（線分）で構成されている。この入力側接続線４１１は、画像読取部２を入力手段として利用するジョブ（コピージョブ、スキャンジョブ、ＦＡＸ送信ジョブ等）がＭＦＰ１０にて実行される場合に、当該ジョブの処理経路Ｒ１０のうちの入力側処理経路Ｂ１（図５参照）として使用される。
【００９５】
入力側接続線４１２（中段の接続線）は、複数の入力部領域Ａ１０（Ａ１１〜Ａ１３）のうちネットワーク受信部４ｂに対応する入力部領域Ａ１２と格納部領域Ａ３０とを接続する線で構成されている。この入力側接続線４１２は、ネットワーク受信部４ｂを入力手段として利用するジョブ（プリントジョブ等）がＭＦＰ１０にて実行される場合に、当該ジョブの処理経路Ｒ１０のうちの入力側処理経路Ｂ１（図１４参照）として使用される。
【００９６】
入力側接続線４１３（最下段の接続線）は、複数の入力部領域Ａ１０（Ａ１１〜Ａ１３）のうちファクシミリ受信部（ＦＡＸ受信部）４ｄに対応する入力部領域Ａ１３と格納部領域Ａ３０とを接続する線で構成されている。この入力側接続線４１３は、ファクシミリ受信部４ｄを入力手段として利用するジョブ（ＦＡＸ受信ジョブ等）がＭＦＰ１０にて実行される場合に、当該ジョブの処理経路Ｒ１０のうちの入力側処理経路Ｂ１（図１５参照）として使用される。
【００９７】
つぎに、複数の出力側接続線４５０（４５１〜４５３）は、格納部領域Ａ３０と複数の出力部領域Ａ５０（Ａ５１〜Ａ５３）のいずれかとを接続する線（水平の直線）でそれぞれ構成されている。
【００９８】
具体的には、出力側接続線４５１（最上段の接続線）は、格納部領域Ａ３０と複数の出力部領域Ａ５０（Ａ５１〜Ａ５３）のうち印刷出力部３に対応する出力部領域Ａ５１とを接続する線（線分）で構成されている。この出力側接続線４５１は、印刷出力部３を出力手段として利用するジョブ（コピージョブ、プリントジョブ、ＦＡＸ受信ジョブ等）がＭＦＰ１０にて実行される場合に、当該ジョブの処理経路Ｒ１０のうちの出力側処理経路Ｂ２（図５参照）として使用される。
【００９９】
出力側接続線４５２（中段の接続線）は、格納部領域Ａ３０と複数の出力部領域Ａ５０（Ａ５１〜Ａ５３）のうちネットワーク送信部４ａに対応する出力部領域Ａ５２とを接続する線で構成されている。この出力側接続線４５２は、ネットワーク送信部４ａを出力手段として利用するジョブ（スキャンジョブ等）がＭＦＰ１０にて実行される場合に、当該ジョブの処理経路Ｒ１０のうちの出力側処理経路Ｂ２（図１３参照）として使用される。
【０１００】
出力側接続線４５３（最下段の接続線）は、格納部領域Ａ３０と複数の出力部領域Ａ５０（Ａ５１〜Ａ５３）のうちＦＡＸ送信部４ｃに対応する出力部領域Ａ５３とを接続する線で構成されている。この出力側接続線４５３は、ＦＡＸ送信部４ｃを出力手段として利用するジョブ（ＦＡＸ送信ジョブ等）がＭＦＰ１０にて実行される場合に、当該ジョブの処理経路Ｒ１０のうちの出力側処理経路Ｂ２として使用される。
【０１０１】
最後に、複数の出力側補助接続線４７０（４７１〜４７３）は、複数の出力部領域Ａ５０（Ａ５１〜Ａ５３）と、当該複数の出力部領域Ａ５０（Ａ５１〜Ａ５３）にそれぞれ対応する複数の出力済領域Ａ７０（Ａ７１〜Ａ７３）とを接続する線（水平の直線）でそれぞれ構成されている。
【０１０２】
具体的には、出力側補助接続線４７１は、出力部領域Ａ５１と当該出力部領域Ａ５１に対応する出力済領域Ａ７１とを接続する線で構成されている。また、出力側補助接続線４７２は、出力部領域Ａ５２と当該出力部領域Ａ５２に対応する出力済領域Ａ７２とを接続する線で構成されている。さらに、出力側補助接続線４７３は、出力部領域Ａ５３と当該出力部領域Ａ５３に対応する出力済領域Ａ７３とを接続する線で構成されている。
【０１０３】
このように、進捗状況確認画面３００には、複数の入力側接続線４１０と複数の出力側接続線４５０と複数の出力側補助接続線４７０とがそれぞれ表示されている。そして、ＭＦＰ１０にて実行中のジョブの処理経路Ｒ１０が、接続線４１０，４５０，４７０を利用して描画される。
【０１０４】
＜１−２−２．処理経路およびサムネイル画像の描画等＞
ＭＦＰ１０にて実行中のジョブの処理経路Ｒ１０が描画され、当該処理経路Ｒ１０上の複数の位置のうち当該ジョブの進捗状況に応じた位置にサムネイル画像Ｔが描画（配置）される様子について、コピージョブを例に、図５〜図８を参照しつつ説明する。
【０１０５】
＜コピージョブの処理経路およびサムネイル画像の描画等＞
図５〜図８は、ＭＦＰ１０にてコピージョブ（のみ）が実行されている際の進捗状況確認画面３００（３０２〜３０５）を示す図である。また、図９〜１２は、図５〜８の進捗状況確認画面３００（３０２〜３０５）にそれぞれ対応するジョブ管理テーブル８００（８０１〜８０４）を示す図である。
【０１０６】
＜処理経路の描画等＞
まず、ジョブの処理経路Ｒ１０の描画処理について説明する。処理経路Ｒ１０は、ＭＦＰ１０にて実行中のジョブにおいて、いずれの入力手段が利用されるか、および／またはいずれの出力手段が利用されるかを示す。
【０１０７】
具体的には、ＭＦＰ１０にてジョブが実行されている場合、複数の入力部領域Ａ１０のうち当該ジョブにて利用される入力手段に対応する入力部領域Ａ１０と、複数の出力部領域Ａ５０のうち当該ジョブにて利用される出力手段に対応する出力部領域Ａ５０とが、それぞれ選択される。
【０１０８】
たとえば、コピージョブでは、画像読取部２によって読み取られて入力画像データが生成され、各種の処理が行われた後、印刷出力部３によって出力画像データが出力（印刷出力）される。換言すれば、コピージョブにおいては、画像読取部２が画像データの入力手段として利用され、印刷出力部３が画像データの出力手段として利用される。そして、ＭＦＰ１０にてコピージョブ（のみ）が実行される場合、３つの入力部領域Ａ１１〜Ａ１３の中から入力部領域Ａ１１（画像読取部２に対応する入力部領域）が選択され、３つの出力部領域Ａ５１〜Ａ５３の中から出力部領域Ａ５１（印刷出力部３に対応する入力部領域）が選択される。
【０１０９】
そして、ＭＦＰ１０（表示制御部１３）は、当該選択された入力部領域Ａ１０（ここではＡ１１）と、当該選択された出力部領域Ａ５０（ここではＡ５１）とを線で接続して、ＭＦＰ１０にて実行中のジョブ（ここではコピージョブ）の処理経路Ｒ１０（Ｒ１１）を描画する（図５参照）。
【０１１０】
具体的には、当該処理経路Ｒ１０は、入力側処理経路Ｂ１と出力側処理経路Ｂ２と出力側補助処理経路Ｂ３との３つの経路に分けられる。このように、処理経路Ｒ１０は、その全部が接続されていることを要さず、複数の経路に分けられていてもよい。
【０１１１】
当該入力側処理経路Ｂ１は、当該選択された入力部領域Ａ１０（ここではＡ１１）と格納部領域Ａ３０とを接続するように描画された経路である。また、出力側処理経路Ｂ２は、格納部領域Ａ３０と当該選択された出力部領域Ａ５０（ここではＡ５１）とを接続するように描画された経路である。さらに、出力側補助処理経路Ｂ３は、当該選択された出力部領域Ａ５０（ここではＡ５１）と、当該出力部領域Ａ５０（Ａ５１）に対応する出力済領域Ａ７０（ここではＡ７１）とを接続するように描画された経路である。
【０１１２】
まず、当該コピージョブの処理経路Ｒ１０（Ｒ１１）のうちの入力側処理経路Ｂ１が、３つの入力側接続線４１１〜４１３（図４参照）のうち当該入力部領域Ａ１１と接続している入力側接続線４１１に重なるように描画される（図５参照）。換言すれば、当該入力部領域Ａ１１と格納部領域Ａ３０とを結ぶ経路が、コピージョブの処理経路Ｒ１０（Ｒ１１）のうちの入力側の処理経路Ｂ１として描画される。当該入力側処理経路Ｂ１は、入力側接続線４１０（４１１）よりも太い線で描画される。
【０１１３】
なお、格納部領域Ａ３０内にサムネイル画像Ｔが描画されている場合、入力側処理経路Ｂ１が当該格納部領域Ａ３０内のサムネイル画像Ｔとも接続されるようにしてもよい（当該格納部領域Ａ３０内のサムネイル画像Ｔまで延長されるようにしてもよい）。
【０１１４】
つぎに、当該コピージョブの処理経路Ｒ１０（Ｒ１１）のうちの出力側の処理経路Ｂ２が、３つの出力側接続線４５１〜４５３（図４参照）のうち当該出力部領域Ａ５１と接続している出力側接続線４５１に重なるように描画される（図５参照）。換言すれば、格納部領域Ａ３０と出力部領域Ａ５１とを結ぶ経路が、コピージョブの処理経路Ｒ１０（Ｒ１１）のうちの出力側処理経路Ｂ２として描画される。当該出力側処理経路Ｂ２は、出力側接続線４５０（４５１）よりも太い線で描画される。
【０１１５】
なお、格納部領域Ａ３０内にサムネイル画像Ｔが描画されている場合、図６等に示すように、出力側処理経路Ｂ２が当該格納部領域Ａ３０内のサムネイル画像Ｔとも接続されるようにしてもよい（当該格納部領域Ａ３０内のサムネイル画像Ｔまで延長されるようにしてもよい）。
【０１１６】
最後に、当該コピージョブの処理経路Ｒ１０（Ｒ１１）のうちの出力側の補助処理経路Ｂ３が、３つの出力側補助接続線４７１〜４７３（図４参照）のうち当該出力部領域Ａ５１と接続している出力側補助接続線４７１に重なるように描画される（図５参照）。当該出力側補助処理経路Ｂ３は、出力側接続線４５０（４５１）よりも太い線で描画される。
【０１１７】
このように、ＭＦＰ１０にて実行中のジョブの処理経路Ｒ１０が描画されることによって、当該ジョブが、いずれの入力手段を利用するか、および／またはいずれの出力手段を利用するか等を、ユーザは確認することが可能である。
【０１１８】
＜サムネイル画像の描画等＞
つぎに、ＭＦＰ１０にて実行中のジョブに関するサムネイル画像Ｔが、当該ジョブの処理経路Ｒ１０上に描画（配置）される様子等について説明する。
【０１１９】
当該サムネイル画像Ｔは、当該ジョブの進捗状況に応じて、当該ジョブの処理経路Ｒ１０上の複数の位置（ここでは４つの位置）のいずれかの位置に描画される。具体的には、当該サムネイル画像Ｔは、入力側処理経路Ｂ１上の位置と格納部領域Ａ３０内の位置と出力側処理経路Ｂ２上の位置と出力済領域Ａ７０内の位置との４つの位置のいずれかに描画される。なお、当該サムネイル画像Ｔの描画位置（表示位置）は、リアルタイムに更新される。
【０１２０】
それぞれの描画位置に描画されるサムネイル画像Ｔについて順に説明する。
【０１２１】
＜入力側処理経路Ｂ１上の位置に描画されるサムネイル画像＞
まず、入力側処理経路Ｂ１上の位置に描画されるサムネイル画像Ｔについて説明する。
【０１２２】
コピージョブにおいては、原稿のスキャン処理とスキャン画像データ（入力画像データ）の生成処理と当該スキャン画像データに対する圧縮処理とが入力処理として実行される。
【０１２３】
当該３つの処理のうちのスキャン画像データの生成処理が完了すると、当該スキャン画像データに基づくサムネイル画像Ｔが入力側処理経路Ｂ１上の位置に描画される。
【０１２４】
具体的には、ユーザ（たとえばユーザＵ１）からのジョブ実行開始指示に応じて、ＭＦＰ１０の所定の位置（たとえば自動給紙装置（ＡＤＦ：Auto Document Feeder））に載置された複数ページの原稿の１ページ目に対してスキャン処理の実行が開始される。そして、当該１ページ目の原稿について、スキャン画像データ（未圧縮の画像データ）が入力画像データとして生成される。なお、１ページ目の原稿に関する入力画像データ（１ページ目の入力画像データとも称する）が生成されると、次の原稿（２ページ目の原稿）に対するスキャン処理の実行が開始される。
【０１２５】
１ページ目の入力画像データが生成されると、ＭＦＰ１０（画像生成部１６）は、当該入力画像データに基づくサムネイル画像Ｔ（Ｔ１１）（図５）を生成する。
【０１２６】
また、（１ページ目の）入力画像データが生成されると、ジョブ管理テーブル８００が更新される。具体的には、１ページ目の入力画像データが生成されると、ユーザＵ１からのコピージョブが、新たなジョブとしてジョブ管理テーブル８００（８０１）（図９参照）に登録される。
【０１２７】
そして、ジョブ管理テーブル８００が更新されると、ＭＦＰ１０（表示制御部１３）は、進捗状況確認画面３００（３０２）において、当該サムネイル画像Ｔ１１を、コピージョブの処理経路Ｒ１１上の４つの位置のうち入力側処理経路Ｂ１上の位置に描画する（図５参照）。
【０１２８】
このように、ＭＦＰ１０にて実行中のジョブ（コピージョブ）にて入力処理が実行されている際には、当該ジョブの処理経路Ｒ１０（Ｒ１１）上の複数の位置のうち入力側処理経路Ｂ１上に、入力画像データ（入力処理中の画像データ）に基づくサムネイル画像Ｔ（Ｔ１１）が描画される。換言すれば、処理経路Ｒ１０上の複数の位置のうちの入力側処理経路Ｂ１上の位置に描画されるサムネイル画像Ｔは、当該ジョブ（コピージョブ）において、当該サムネイル画像Ｔに対応する入力画像データの入力処理中である旨、を示している。
【０１２９】
なお、図５等に示すように、進捗状況確認画面３００においては、ジョブ管理テーブル８００に基づいて、ＭＦＰ１０にて実行中のジョブ（ここではコピージョブ）に関する詳細内容情報を示すジョブ情報テーブル７００（７０１）もが表示される。たとえば、当該詳細内容情報には、当該ジョブのジョブ番号（「Ｊｏｂ  Ｎｏ．１」）、ジョブの種類（「Ｃｏｐｙ」）、ジョブに関するユーザ（たとえばユーザＩＤ（「Ｕｓｅｒ  Ｕ１」））、および入力画像データのページ数（「１ｐａｇｅ」）が含まれる。
【０１３０】
＜格納部領域Ａ３０内の位置に描画されるサムネイル画像＞
つぎに、格納部領域Ａ３０内の位置に描画されるサムネイル画像Ｔについて説明する。
【０１３１】
（１ページ目の）入力画像データが生成されると、当該入力画像データに対して圧縮処理が行われ、圧縮処理後の画像データ（圧縮済画像データとも称する）が生成される。当該圧縮済画像データが生成されると、１ページ目の原稿（１ページ目の原稿に関する入力画像データ）に対する入力処理は完了する。そして、当該圧縮済画像データが格納部５に格納される。
【０１３２】
圧縮済画像データが格納部５に格納されると、ジョブ管理テーブル８００が再び更新される。具体的には、図１０のジョブ管理テーブル８０２に示すように、ユーザＵ１からのコピージョブについて、入力済ページ数の値が（値「０」から値「１」に）インクリメントされる。なお、この時点では、２ページ目の原稿に対する入力処理の実行が既に開始されており、ジョブ管理テーブル８０２における入力動作状態の欄は「入力中」のままである。
【０１３３】
ジョブ管理テーブル８００の更新に応じて、ＭＦＰ１０（表示制御部１３）は、進捗状況確認画面３００を更新する。具体的には、表示制御部１３は、図５の進捗状況確認画面３０２に代えて図６の進捗状況確認画面３０３をタッチパネル２５に表示する。
【０１３４】
当該進捗状況確認画面３０３においては、表示制御部１３は、サムネイル画像Ｔ１１（１ページ目の入力画像データに基づくサムネイル画像）を、コピージョブの処理経路Ｒ１１上の４つの位置のうち格納部領域Ａ３０内の位置に描画（配置）する。当該サムネイル画像Ｔ１１は、格納部領域Ａ３０内において、入力側処理経路Ｂ１の延長線上（同一段（ここでは最上段）上）に描画される。
【０１３５】
このように、画像データ（入力画像データ）の入力処理が完了すると、コピージョブの処理経路Ｒ１１上の４つの位置のうち格納部領域Ａ３０内の位置に、当該入力画像データに対応するサムネイル画像Ｔ（Ｔ１１）が描画される。換言すれば、処理経路Ｒ１０上の複数の位置のうちの格納部領域Ａ３０内の位置に描画されるサムネイル画像Ｔ（Ｔ１１）は、当該コピージョブにおいて当該サムネイル画像Ｔ（Ｔ１１）に対応する画像データ（１ページ目の原稿に関する入力画像データ）の入力処理が完了した旨、を示している。
【０１３６】
なお、この時点では、２ページ目の原稿（２ページ目の入力画像データ）に対する入力処理が実行中であり（図１０も参照）、当該進捗状況確認画面３０３においては、当該２ページ目の入力画像データに基づくサムネイル画像Ｔ１２が、コピージョブの処理経路Ｒ１１上の４つの位置のうち入力側処理経路Ｂ１上の位置に描画される（図６参照）。
【０１３７】
＜出力側処理経路Ｂ２上の位置に描画されるサムネイル画像＞
つぎに、出力側処理経路Ｂ２上の位置に描画されるサムネイル画像Ｔについて説明する。
【０１３８】
格納部５内の（１ページ目の）圧縮済画像データ（入力処理が完了済の画像データ）に対して各種の画像処理（たとえば解像度変換処理）が実行され、当該画像処理後の画像データが出力画像データとして生成される。
【０１３９】
そして、ＭＦＰ１０（画像生成部１６）は、当該出力画像データに基づくサムネイル画像Ｔ（Ｔ５１）を生成する。
【０１４０】
また、当該出力画像データが生成されると、ＭＦＰ１０（印刷出力部３）は、当該（１ページ目の）出力画像データの出力処理（ここでは印刷出力処理）の実行を開始する。
【０１４１】
出力画像データの出力処理（印刷出力処理）の実行が開始されると、ジョブ管理テーブル８００が更新される。具体的には、図１１のジョブ管理テーブル８０３に示すように、ユーザＵ１からのコピージョブについて、出力動作状態の欄が「−（出力動作前）」から「出力中」に更新される。
【０１４２】
そして、ジョブ管理テーブル８００の更新に応じて、ＭＦＰ１０（表示制御部１３）は、進捗状況確認画面３００を更新する。具体的には、表示制御部１３は、図６の進捗状況確認画面３０３に代えて図７の進捗状況確認画面３０４をタッチパネル２５に表示する。
【０１４３】
当該進捗状況確認画面３０４においては、表示制御部１３は、サムネイル画像（１ページ目の出力画像データに基づくサムネイル画像）Ｔ５１を、コピージョブの処理経路Ｒ１１上の４つの位置のうち出力側処理経路Ｂ２上の位置に描画（配置）する（図７参照）。
【０１４４】
このように、出力手段（ここでは印刷出力部３）によって出力画像データが出力される際には、ＭＦＰ１０にて実行中のジョブ（コピージョブ）の処理経路Ｒ１０（Ｒ１１）上の複数の位置のうち出力側処理経路Ｂ２上の位置に、出力画像データ（出力処理中の画像データ）に関するサムネイル画像Ｔ（Ｔ５１）が描画される。換言すれば、処理経路Ｒ１０上の複数の位置のうちの出力側処理経路Ｂ２上の位置に描画されるサムネイル画像Ｔは、当該ジョブにおいて、当該サムネイル画像Ｔに対応する出力画像データの出力処理中である旨、を示している。
【０１４５】
なお、この時点では、２ページ目および３ページ目の原稿に対する入力処理が完了され、且つ４ページ目の原稿に対する入力処理が実行されている（図１１も参照）。この場合、当該進捗状況確認画面３０３においては、２ページ目および３ページ目の入力画像データに関するサムネイル画像Ｔ１２，Ｔ１３が格納部領域Ａ３０内の位置に描画され、４ページ目の入力画像データに関するサムネイル画像Ｔ１４が入力側処理経路Ｂ１上の位置に描画される（図７参照）。
【０１４６】
また、コピージョブにおける処理対象の複数の画像データ（ここでは２枚の画像データ）が格納部５に格納されている場合、当該格納部領域Ａ３０内においては、当該複数の画像データの枚数（２枚）と同数のサムネイル画像Ｔ（Ｔ１２，Ｔ１３）が（ここでは重畳して）描画される。
【０１４７】
＜出力済領域Ａ７０内の位置に描画されるサムネイル画像＞
最後に、出力済領域Ａ７０内の位置に描画されるサムネイル画像Ｔについて説明する。
【０１４８】
出力画像データの出力処理（印刷出力処理）が完了すると、ジョブ管理テーブル８００が更新される。具体的には、図１２に示すように、ユーザＵ１からのコピージョブについて、出力済ページ数の値が（値「０」から値「１」に）インクリメントされる。
【０１４９】
ジョブ管理テーブル８００の更新に応じて、ＭＦＰ１０（表示制御部１３）は、進捗状況確認画面３００を更新する。具体的には、表示制御部１３は、図７の進捗状況確認画面３０４に代えて図８の進捗状況確認画面３０５をタッチパネル２５に表示する。
【０１５０】
当該進捗状況確認画面３０５においては、表示制御部１３は、サムネイル画像Ｔ５１（１ページ目の出力画像データに基づくサムネイル画像）を、コピージョブの処理経路Ｒ１１上の４つの位置のうち出力済領域Ａ７１内の位置に描画する。なお、コピージョブにおける処理対象の複数の画像データに対する出力処理（ここでは印刷出力処理）が完了している場合、当該出力済領域Ａ７０（Ａ７１）内においては、当該複数の画像データの枚数と同数のサムネイル画像Ｔが（ここでは重畳して）描画される（図１６等参照）。
【０１５１】
このように、出力画像データの出力処理（印刷出力処理）が完了すると、ＭＦＰ１０にて実行中のジョブ（コピージョブ）の処理経路Ｒ１０（Ｒ１１）上の４つの位置のうち出力済領域Ａ７０（Ａ７１）内の位置に、出力画像データに対応するサムネイル画像Ｔ（Ｔ５１）が描画される。換言すれば、処理経路Ｒ１０上の複数の位置のうちの出力済領域Ａ７０内の位置に描画されるサムネイル画像Ｔ（Ｔ５１）（図８参照）は、当該ジョブにおいて当該サムネイル画像Ｔに対応する画像データ（１ページ目の原稿に関する出力画像データ）の出力処理が完了した旨、を示している。
【０１５２】
なお、この時点では、２ページ目の圧縮済画像データに対する画像処理が完了済であり、３〜５ページ目の入力画像データの入力処理が完了され、且つ６ページ目の入力画像データの入力処理が実行されている（図１２も参照）。この場合、図８に示すように、当該進捗状況確認画面３０５においては、２ページ目の出力画像データに基づくサムネイル画像Ｔ５２が出力側処理経路Ｂ２上の位置に描画され、３〜５ページ目の入力画像データに基づくサムネイル画像Ｔ１３〜Ｔ１５が格納部領域Ａ３０内の位置に描画される。さらに、６ページ目の入力画像データに基づくサムネイル画像Ｔ１６が入力側処理経路Ｂ１上の位置に描画される（図８参照）。
【０１５３】
以上のようにして、ＭＦＰ１０の実行中のジョブ（ここではコピージョブ）の処理経路Ｒ１０（Ｒ１１）上の複数の位置（ここでは４つの位置）のうち当該ジョブの進捗状況に応じた位置に、当該ジョブ（コピージョブ）に関するサムネイル画像Ｔが描画される。
【０１５４】
なお、ここでは、ＭＦＰ１０にてコピージョブが実行されている場合に描画される処理経路Ｒ１０（Ｒ１１）およびサムネイル画像Ｔ等について説明した。他の種類のジョブが実行されている場合には、次のような処理経路Ｒ１０が描画される。以下では、スキャンジョブとプリントジョブとＦＡＸ受信ジョブとのうちの１つが実行されている場合に描画される処理経路Ｒ１０およびサムネイル画像Ｔ等について説明する。
【０１５５】
＜スキャンジョブの処理経路およびサムネイル画像の描画等＞
まず、スキャンジョブの処理経路Ｒ１０（Ｒ１２）およびサムネイル画像Ｔの描画処理等について説明する。ＭＦＰ１０にてスキャンジョブ（のみ）が実行されている場合、図１３に示すような進捗状況確認画面３００（３０６）がＭＦＰ１０のタッチパネル２５に表示される。
【０１５６】
スキャンジョブ（Ｓｃａｎ  ｔｏ  ＦＴＰジョブ）においては、画像読取部２で原稿が読み取られ、各種の処理を経た後、ネットワーク送信部４ａによって出力画像データがユーザの所望の通信先装置（たとえばユーザの外部端末）に送信される。換言すれば、スキャンジョブにおいては、画像読取部２が画像データの入力手段として利用され、ネットワーク送信部４ａが画像データの出力手段として利用される。
【０１５７】
進捗状況確認画面３００（３０６）（図１３参照）においては、複数の入力部領域Ａ１０（Ａ１１〜Ａ１３）のうちスキャンジョブにて利用される入力手段（画像読取部２）に対応する入力部領域Ａ１１が、スキャンジョブの処理経路Ｒ１０（Ｒ１２）の起点側の領域として選択される。また、複数の出力部領域Ａ５０（Ａ５１〜Ａ５３）のうちスキャンジョブにて利用される出力手段（ネットワーク送信部４ａ）に対応する出力部領域Ａ５２が、スキャンジョブの処理経路Ｒ１２の終点側の領域として選択される。
【０１５８】
そして、コピージョブにおける処理経路Ｒ１１と同様にして、当該入力部領域Ａ１１と当該出力部領域Ａ５２とが接続されて、スキャンジョブの処理経路Ｒ１２が描画される（図１３参照）。
【０１５９】
具体的には、３つの入力側接続線４１１〜４１３（図４参照）のうち当該入力部領域Ａ１１と接続している入力側接続線４１１が、当該スキャンジョブの処理経路Ｒ１０（Ｒ１２）のうちの入力側処理経路Ｂ１として描画される（図１３参照）。また、３つの出力側接続線４５１〜４５３（図４参照）のうち当該出力部領域Ａ５２と接続している出力側接続線４５２が、当該スキャンジョブの処理経路Ｒ１２のうちの出力側処理経路Ｂ２として描画される（図１３参照）。さらに、３つの出力側補助接続線４７１〜４７３（図４参照）のうち当該出力部領域Ａ５２と接続している出力側補助接続線４７２が、当該スキャンジョブの処理経路Ｒ１２のうちの出力側補助処理経路Ｂ３として描画される（図１３参照）。
【０１６０】
ここにおいて、当該入力部領域Ａ１１は、３段（３つの入力部領域Ａ１０の位置）の位置のうちの最上段の位置に配置され、当該出力部領域Ａ５２は、３段（３つの出力部領域Ａ５０の位置）の位置のうちの中段の位置に配置されている。この場合、当該スキャンジョブの出力側処理経路Ｂ２は、格納部領域Ａ３０内のサムネイル画像Ｔの描画位置から出力側接続線４５２（図４参照）の位置へと（すなわち最上段から中段へと斜め右下方向に）斜行する（図１３参照）。
【０１６１】
また、図１３に示すように、当該スキャンジョブの処理経路Ｒ１２上の４つの位置のうち当該スキャンジョブの進捗状況に応じた位置に、当該スキャンジョブに関するサムネイル画像Ｔが描画される。
【０１６２】
スキャンジョブにおいては、画像読取部２によって原稿が読み取られてから出力画像データが生成されるまでの処理および各処理に応じて実行されるサムネイル画像Ｔの描画処理等は、コピージョブにおける当該処理と同様にして行われる。その後の処理は、以下のようにして行われる。
【０１６３】
具体的には、出力画像データ（画像処理済の画像データ）が生成されると、ＭＦＰ１０（通信制御部１１）は、ネットワーク送信部４ａと協働して当該出力画像データを、ユーザによって指定された通信先装置（たとえばユーザの外部端末）に送信する。当該出力画像データの送信が完了すると、当該出力画像データに基づき生成されたサムネイル画像Ｔ（Ｔ６１，Ｔ６２）が、スキャンジョブの処理経路Ｒ１２上の４つの位置のうち出力済領域Ａ７２内の位置に描画される（図１３参照）。
【０１６４】
＜プリントジョブの処理経路およびサムネイル画像の描画等＞
つぎに、プリントジョブの処理経路Ｒ１０（Ｒ１３）およびサムネイル画像Ｔの描画処理等について説明する。ＭＦＰ１０にてプリントジョブ（のみ）が実行されている場合、図１４に示すような進捗状況確認画面３００（３０７）がＭＦＰ１０のタッチパネル２５に表示される。
【０１６５】
プリントジョブにおいては、ネットワーク受信部４ｂによって画像データ（入力画像データ）が取得され、各種の処理を経た後、印刷出力部３によって出力画像データが印刷出力される。換言すれば、プリントジョブにおいては、ネットワーク受信部４ｂが画像データの入力手段として利用され、印刷出力部３が画像データの出力手段として利用される。
【０１６６】
進捗状況確認画面３００（３０７）（図１４参照）においては、複数の入力部領域Ａ１０（Ａ１１〜Ａ１３）のうちプリントジョブにて利用される入力手段（ネットワーク受信部４ｂ）に対応する入力部領域Ａ１２が、プリントジョブの処理経路Ｒ１０（Ｒ１３）の起点側の領域として選択される。また、複数の出力部領域Ａ５０（Ａ５１〜Ａ５３）のうちプリントジョブにて利用される出力手段（印刷出力部３）に対応する出力部領域Ａ５１が、プリントジョブの処理経路Ｒ１３の終点側の領域として選択される。
【０１６７】
そして、当該入力部領域Ａ１２と当該出力部領域Ａ５１とが接続されて、プリントジョブの処理経路Ｒ１３が描画される（図１４参照）。
【０１６８】
ここにおいて、当該入力部領域Ａ１２は、３段（３つの入力部領域Ａ１０の位置）の位置のうちの中段の位置に配置され、当該出力部領域Ａ５１は、３段（３つの出力部領域Ａ５０の位置）の位置のうちの最上段の位置に配置されている。この場合、当該プリントジョブの出力側処理経路Ｂ２は、格納部領域Ａ３０内のサムネイル画像Ｔの描画位置から出力側接続線４５１（図４参照）の位置へと（すなわち中段から最上段へと斜め右上方向に）斜行する（図１４参照）。
【０１６９】
また、図１４に示すように、当該プリントジョブの処理経路Ｒ１３上の４つの位置のうち当該プリントジョブの進捗状況に応じた位置に、当該プリントジョブに関するサムネイル画像Ｔが描画される。
【０１７０】
具体的には、ネットワーク受信部４ｂによって印刷対象の画像データが入力画像データとして受信されると、当該入力画像データに基づくサムネイル画像Ｔが生成される。そして、当該サムネイル画像Ｔが、処理経路Ｒ１３上の４つの位置のうち入力側処理経路Ｂ１上の位置に描画される（図１４参照）。また、当該入力画像データに対する圧縮処理によって圧縮済画像データが生成されて格納部５に格納されると、当該入力側処理経路Ｂ１上の位置に描画されていたサムネイル画像Ｔが、当該処理経路Ｒ１３上の４つの位置のうち格納部領域Ａ３０内の位置に描画される（図１４参照）。
【０１７１】
なお、圧縮済画像データが格納部５に格納された後の処理および各処理に応じて実行されるサムネイル画像Ｔの描画処理等は、コピージョブにおける当該処理と同様にして行われる。
【０１７２】
＜ＦＡＸ受信ジョブの処理経路およびサムネイル画像の描画等＞
最後に、ＦＡＸ受信ジョブの処理経路Ｒ１０（Ｒ１４）およびサムネイル画像Ｔの描画処理等について説明する。ＭＦＰ１０にてＦＡＸ受信ジョブ（のみ）が実行されている場合、図１５に示すような進捗状況確認画面３００（３０８）がＭＦＰ１０のタッチパネル２５に表示される。
【０１７３】
具体的には、ＦＡＸ受信ジョブにおいては、ファクシミリ受信部４ｄによって入力画像データが公衆回線等を介して取得され、各種の処理を経た後、出力画像データが印刷出力部３によって印刷出力される。換言すれば、ＦＡＸ受信ジョブにおいては、ファクシミリ受信部４ｄが画像データの入力手段として利用され、印刷出力部３が画像データの出力手段として利用される。
【０１７４】
進捗状況確認画面３００（３０８）（図１５参照）においては、複数の入力部領域Ａ１０（Ａ１１〜Ａ１３）のうちＦＡＸ受信ジョブにて利用される入力手段（ファクシミリ受信部４ｄ）に対応する入力部領域Ａ１３が、ＦＡＸ受信ジョブの処理経路Ｒ１０（Ｒ１４）の起点側の領域として選択される。また、複数の出力部領域Ａ５０（Ａ５１〜Ａ５３）のうちＦＡＸ受信ジョブにて利用される出力手段（印刷出力部３）に対応する出力部領域Ａ５１が、ＦＡＸ受信ジョブの処理経路Ｒ１４の終点側の領域として選択される。
【０１７５】
そして、当該入力部領域Ａ１３と当該出力部領域Ａ５１とが接続されて、ＦＡＸ受信ジョブの処理経路Ｒ１４が描画される（図１５参照）。
【０１７６】
ここにおいて、当該入力部領域Ａ１３は、３段（３つの入力部領域Ａ１０の配置位置）の位置のうちの最下段の位置に配置され、当該出力部領域Ａ５１は、３段（３つの出力部領域Ａ５０）の位置のうちの最上段の位置に配置されている。この場合、当該ＦＡＸ受信ジョブの出力側処理経路Ｂ２は、格納部領域Ａ３０内のサムネイル画像Ｔの描画位置から出力側接続線４５１（図４参照）の位置へと（すなわち最下段から最上段へと斜め右上方向に）斜行する（図１５参照）。
【０１７７】
また、図１５に示すように、当該ＦＡＸ受信ジョブの処理経路Ｒ１４上の４つの位置のうち当該ＦＡＸ受信ジョブの進捗状況に応じた位置に、ＦＡＸ受信ジョブに関するサムネイル画像Ｔが描画される。
【０１７８】
具体的には、ファクシミリ受信部４ｄによって処理対象の画像データが入力画像データとして受信されると、当該入力画像データに基づくサムネイル画像Ｔが生成される。そして、当該サムネイル画像Ｔが、処理経路Ｒ１４上の４つの位置のうち入力側処理経路Ｂ１上の位置に描画される（図１５参照）。また、当該入力画像データに対する圧縮処理によって圧縮済画像データが生成されて格納部５に格納されると、当該入力側処理経路Ｂ１上の位置に描画されていたサムネイル画像Ｔが、当該処理経路Ｒ１４上の４つの位置のうち格納部領域Ａ３０内の位置に描画される（図１５参照）。
【０１７９】
なお、圧縮済画像データが格納部５に格納された後の処理および各処理に応じて実行されるサムネイル画像Ｔの描画処理等は、コピージョブにおける当該処理と同様にして行われる。
【０１８０】
このようにして、ＭＦＰ１０にて実行中のジョブの処理経路Ｒ１０が描画されるとともに、当該処理経路Ｒ１０上の複数の位置のうち当該ジョブ（コピージョブ）の進捗状況に応じた位置に当該ジョブに関するサムネイル画像Ｔが描画される。
【０１８１】
＜１−２−３．複数のジョブがＭＦＰにて実行中である場合について＞
複数のジョブ（複数種類のジョブ）がＭＦＰ１０にて実行されている場合における進捗状況確認画面３００について、図１６の進捗状況確認画面３００（３０９）を参照しつつ説明する。ここでは、スキャンジョブとプリントジョブとＦＡＸ受信ジョブとの３つ（３種類）のジョブがＭＦＰ１０にて実行中である状況を例示する。
【０１８２】
具体的には、上述の処理と同様の処理によって、ＭＦＰ１０（表示制御部１３）は、各ジョブの処理経路Ｒ１０（Ｒ１２〜Ｒ１４）をそれぞれ描画するとともに、当該各ジョブの進捗状況に応じた位置に当該各ジョブのサムネイル画像Ｔを描画する（図１６参照）。
【０１８３】
より詳細には、表示制御部１３は、スキャンジョブの処理経路Ｒ１２を描画するとともに、プリントジョブの処理経路Ｒ１３をも描画し、さらに、ＦＡＸ受信ジョブの処理経路Ｒ１４をも描画する。
【０１８４】
ただし、ここでは、印刷出力部３はプリントジョブにて現在利用されており、ＦＡＸ受信ジョブは、印刷出力部３の利用を待機している状態である。この場合、図１６に示すように、ＦＡＸ受信ジョブの処理経路Ｒ１４のうちの入力側処理経路Ｂ１（図１５参照）が描画され、当該処理経路Ｒ１４のうちの出力側処理経路Ｂ２（図１５参照）は描画されない。
【０１８５】
このように、各ジョブの処理経路Ｒ１０（Ｒ１２〜Ｒ１４）がそれぞれ描画される。そして、上述のようにして、当該各ジョブの進捗状況に応じた位置に当該各ジョブに関するサムネイル画像Ｔが描画される。
【０１８６】
また、複数のジョブがＭＦＰ１０にて実行中である場合、ＭＦＰ１０（表示制御部１３）は、進捗状況確認画面３００（３０９）において、各ジョブに関する表示要素を、ジョブごとに互いに異なる表示態様で表示する。換言すれば、進捗状況確認画面３００（３０９）において、ＭＦＰ１０にて実行中の複数のジョブが互いに区別されて表示される。
【０１８７】
具体的には、表示制御部１３は、各ジョブの線要素をジョブごとに互いに異なる表示態様で表示する。より具体的には、表示制御部１３は、処理経路Ｒ１０（Ｒ１２〜Ｒ１４）を表現（構成）する線と、各ジョブの処理経路Ｒ１０上のサムネイル画像Ｔの枠線とを、ジョブごとに互いに異なる表示態様で表示する。
【０１８８】
ここでは、表示制御部１３は、各ジョブの処理経路Ｒ１０（Ｒ１２〜Ｒ１４）を表現する線と各ジョブの処理経路Ｒ１０上のサムネイル画像Ｔの枠線とを、ジョブごとに互いに異なる色を用いて表示（描画）する。
【０１８９】
たとえば、ＭＦＰ１０は、スキャンジョブの処理経路Ｒ１２を表現する線を赤色で表示するとともに、当該処理経路Ｒ１２上のサムネイル画像Ｔ（スキャンジョブに関するサムネイル画像）Ｔ２４〜Ｔ２６，Ｔ６１〜Ｔ６３の枠線を、当該処理経路Ｒ１２を表現する線と同一色（赤色）を用いて表示する。
【０１９０】
また、ＭＦＰ１０は、プリントジョブの処理経路Ｒ１３を表現する線を黄色（処理経路Ｒ１２を表現する線の色とは異なる色）で表示するとともに、当該処理経路Ｒ１３上のサムネイル画像Ｔ（プリントジョブに関するサムネイル画像）Ｔ３３，Ｔ３４，Ｔ７１，Ｔ７２の枠線を、当該処理経路Ｒ１３を表現する線の色（黄色）と同一色を用いて表示する。
【０１９１】
さらに、ＭＦＰ１０は、ＦＡＸ受信ジョブの処理経路Ｒ１４を表現する線を青色（処理経路Ｒ１２，Ｒ１３を表現する線の色とは異なる色）で表現するとともに、当該処理経路Ｒ１４上のサムネイル画像Ｔ（ＦＡＸ受信ジョブに関するサムネイル画像）Ｔ４１〜Ｔ４３，Ｔ４５の枠線を、当該処理経路Ｒ１４を表現する線の色（青色）と同一色を用いて表示する。
【０１９２】
このように、複数のジョブがＭＦＰ１０にて実行中である場合、表示制御部１３は、進捗状況確認画面３００（３０９）において、各ジョブに関する表示要素（ここでは処理経路Ｒ１０とその処理経路Ｒ１０上のサムネイル画像との双方を含む線要素）を、ジョブごとに互いに異なる表示態様で表示する。
【０１９３】
ここにおいて、処理経路Ｒ１０上の４つの位置のうちの格納部領域Ａ３０内に描画されるサムネイル画像Ｔの枚数に上限が設けられるようにしてもよい。
【０１９４】
具体的には、上述のように、ＦＡＸ受信ジョブは、出力画像データの印刷出力処理の待機状態を有している。ＦＡＸ受信ジョブにおいては、出力処理の待機中であっても、新たな入力画像データに対する入力処理は継続して実行され、当該入力画像データに対する圧縮処理の完了に応じて、圧縮済画像データが格納部５に順次格納されていく。そして、ＦＡＸ受信ジョブの処理経路Ｒ１４上の４つの位置のうちの格納部領域Ａ３０内の位置には、格納部５に格納されている複数の画像データ（圧縮済画像データ）の枚数と同数のサムネイル画像Ｔが（重畳して）描画される。ただし、当該格納部領域Ａ３０内の位置においては、当該複数の画像データの枚数が所定数（たとえば３枚）以下である場合に、当該複数の画像データの枚数と同数のサムネイル画像Ｔが描画され、当該複数の画像データの枚数が所定数（３枚）よりも多数である場合には、当該所定数（３枚）よりも多数のサムネイル画像Ｔは描画されない。
【０１９５】
より具体的には、たとえば４ページ目の圧縮済画像データが格納部５に格納されている（４枚の画像データが出力処理の実行開始を待機している）場合、当該格納部領域Ａ３０内の位置には、４枚の圧縮済画像データのうちの所定数（３枚）の圧縮済画像データに関するサムネイル画像Ｔ（Ｔ４１〜Ｔ４３）のみが（重畳して）描画される。詳細には、当該所定数（３枚）よりも多数の画像データ（４枚の圧縮画像データ）のうち当該所定数（３枚）の画像データに関するサムネイル画像Ｔが描画され、当該多数の画像データのうち当該所定数（３枚）以外の画像データに関するサムネイル画像Ｔは描画されない。換言すれば、当該所定数（３枚）よりも多数の画像データの枚数と同数のサムネイル画像Ｔのうち当該所定数（３枚）のサムネイル画像Ｔのみが、当該格納部領域Ａ３０内の位置に描画され、当該所定数以降のサムネイル画像Ｔ（４枚目以降のサムネイル画像Ｔ）は、当該格納部領域Ａ３０内の位置には描画されない。端的に言えば、複数の画像データに対して入力処理が完了されたことを視覚的に確認可能な程度の枚数（ここでは３枚）のサムネイル画像Ｔが当該格納部領域Ａ３０内に描画される。
【０１９６】
このように、ＭＦＰ１０にて実行中のジョブの処理経路Ｒ１０上の複数の位置のうちの格納部領域Ａ３０内の位置に描画されるサムネイル画像Ｔの枚数に上限が設けられるようにしてもよい。同様に、当該複数の位置のうちの出力済領域Ａ７０内の位置に描画されるサムネイル画像Ｔの枚数についても、上限が設けられるようにしてもよい。
【０１９７】
なお、これに限定されず、当該格納部領域Ａ３０内の位置において、格納部５に格納されている全ての画像データ（圧縮済画像データ）の枚数と同数のサムネイル画像Ｔ（たとえば４枚のサムネイル画像）が表示されるようにしてもよい。
【０１９８】
以上のような動作によれば、進捗状況確認画面３００（３０９）において、各ジョブの処理経路Ｒ１０（Ｒ１２〜Ｒ１４）がそれぞれ描画され、さらに、当該処理経路Ｒ１０上に当該各ジョブに関するサムネイル画像Ｔが描画される。したがって、複数のジョブがＭＦＰ１０にて実行されている場合であっても、各ジョブの進捗状況（少なくともジョブが実行中であるか否か）を容易に確認することが可能である。
【０１９９】
また、ＭＦＰ１０にて実行中のジョブに関するサムネイル画像Ｔが、当該ジョブの処理経路Ｒ１０上の複数（ここでは４つ）の位置のうち当該ジョブの進捗状況に応じた位置に描画される。したがって、ユーザは、当該ジョブの進捗状況（進捗度合い）を容易に確認することが可能である。
【０２００】
ここにおいて、図３４に示すように、ＭＦＰ１０にて互いに異なるＫ種類（Ｋは自然数）（たとえばＫ＝７）のジョブが実行可能である場合に、当該７種類全てのジョブの経路をそれぞれ独立して（別個に）並列的に表示すること（比較例とも称する）、も考えられる。
【０２０１】
しかしながら、当該比較例においては、進捗状況確認画面の表示領域内に全種類のジョブの経路がそれぞれ表示されることによって各ジョブに関する表示領域（縦方向の大きさ（高さ）等）が小さくなり、各ジョブに関する表示内容が見難くなることがある。
【０２０２】
これに対して、上記実施形態では、ＭＦＰ１０の複数の入力手段にそれぞれ対応する複数の入力部領域Ａ１０とＭＦＰ１０の複数の出力手段にそれぞれ対応する複数の出力部領域Ａ５０とがそれぞれ配置される。換言すれば、ＭＦＰ１０の実際の入力手段の個数Ｎ（Ｎは自然数）（ここではＮ＝３）と同数の入力部領域Ａ１１〜Ａ１３がそれぞれ配置され、且つＭＦＰ１０の実際の出力手段の個数Ｍ（Ｍは自然数）（ここではＭ＝３）と同数の出力部領域Ａ５１〜Ａ５３がそれぞれ配置される。
【０２０３】
そして、ＭＦＰ１０の実際の入力手段の個数Ｎよりも多数の互いに異なるＫ種類のジョブがＭＦＰ１０にて実行される場合（たとえばＮ＝３且つＫ＝７の場合）、当該Ｋ種類のジョブにおいて、３つの入力部領域Ａ１１〜Ａ１３のうちの少なくとも１つが、ジョブの処理経路Ｒ１０の起点側の領域として共用される。たとえば、コピージョブ、スキャンジョブおよびＦＡＸ送信ジョブのいずれも、画像読取部２を入力手段として利用する。進捗状況確認画面３００においては、当該画像読取部２に対応する入力部領域Ａ１１が、コピージョブ、スキャンジョブおよびＦＡＸ送信ジョブの処理経路Ｒ１０の起点側の領域として共用される。同様に、ＭＦＰ１０の実際の出力手段の個数Ｍよりも多数の互いに異なるＫ種類のジョブがＭＦＰ１０にて実行される場合（たとえばＭ＝３且つＫ＝７の場合）、当該Ｋ種類のジョブにおいて、３つの出力部領域Ａ５１〜Ａ５３のうちの少なくとも１つが、ジョブの処理経路Ｒ１０の終点側の領域として共用される。
【０２０４】
このように、進捗状況確認画面３００において、実際の入力手段の個数Ｎと同数の入力部領域Ａ１０が配置され、且つ実際の出力手段の個数Ｍと同数の出力部領域Ａ５０が配置される。そして、進捗状況確認画面３００において、複数の入力部領域Ａ１０のうちの少なくとも１つ（複数の出力部領域Ａ５０のうちの少なくとも１つ）が共用されてジョブの処理経路Ｒ１０が描画され、共用される一の入力部領域Ａ１０（一の出力部領域Ａ５０）が重複して配置されることがない。したがって、値Ｋがｍｉｎ（Ｎ，Ｍ）よりも大きい場合（不等式「Ｋ＞ｍｉｎ（Ｎ，Ｍ）」が成立する場合）であっても、各ジョブに関する表示内容が見難くなることを回避することが可能である。なお、ｍｉｎ（Ｎ，Ｍ）は、値Ｎと値Ｍとのうちの小さい方を示す。
【０２０５】
また、上記実施形態では、進捗状況確認画面３００（３０９）において、各ジョブに関する表示要素が、ジョブごとに互いに異なる表示態様で表示される。したがって、当該進捗状況確認画面３００（３０９）において、ユーザは、各ジョブを視覚的に区別して確認することが可能である。
【０２０６】
このような態様（各ジョブに関する表示要素がジョブごとに互いに異なる表示態様で表示される態様）は、複数の処理経路Ｒ１０が交差する場合に特に有用である。たとえば、入力部領域Ａ１０が処理経路Ｒ１０の起点側の領域として共用される場合、あるいは出力部領域Ａ５０が処理経路Ｒ１０の終点側の領域として共用される場合、ＭＦＰ１０にて実行中の複数のジョブの処理経路Ｒ１０が交差することがある（図１６における処理経路Ｒ１２，Ｒ１３参照）。このように複数の処理経路Ｒ１０が交差する場合であっても、各ジョブに関する表示要素がジョブごとに互いに異なる表示態様で表示されるので、ユーザは、当該進捗状況確認画面３００（３０９）において、各ジョブを視覚的により明確に区別して確認することが可能である。
【０２０７】
なお、上記実施形態では、各ジョブの処理経路Ｒ１０とその処理経路Ｒ１０上のサムネイル画像Ｔとの双方の表示要素が、互いに異なる表示態様で描画される態様を例示したが、これに限定されない。たとえば、各ジョブの処理経路Ｒ１０（のみ）をジョブごとに互いに異なる表示態様で描画するようにしてもよく、あるいは、各ジョブの処理経路Ｒ１０上のサムネイル画像Ｔ（のみ）をジョブごとに互いに異なる表示態様で描画するようにしてもよい。
【０２０８】
また、ジョブの処理経路Ｒ１０およびその処理経路Ｒ１０上のサムネイル画像Ｔのみならず、ジョブ情報テーブル７００をも含む表示要素が、ジョブごとに互いに異なる表示態様で表示されるようにしてもよい。たとえば、各ジョブのジョブ情報テーブル７００の枠線が、各ジョブの処理経路Ｒ１０を表現する線の色と同一色を用いて表示するなどによって、ジョブごとに互いに異なる表示態様で表示されるようにしてもよい。
【０２０９】
また、上記実施形態では、各ジョブに関する線要素（処理経路Ｒ１０を表現する線および処理経路Ｒ１０上のサムネイル画像Ｔの枠線）が、互いに異なる色を用いて表示される態様を例示したが、これに限定されない。たとえば、各ジョブに関する線要素が、互いに異なる種類の線（線種）を用いて表示されるようにしてもよい。具体的には、スキャンジョブに関する線要素が「実線」を用いて表示され、プリントジョブに関する線要素が「破線」を用いて表示され、ＦＡＸ受信ジョブに関する線要素が「二点鎖線」を用いて表示されるようにしてもよい。
【０２１０】
＜２．第２実施形態＞
第２実施形態は、第１実施形態の変形例である。以下では、第１実施形態との相違点を中心に説明する。
【０２１１】
第１実施形態では、進捗状況確認画面３００において、ＭＦＰ１０にて実行中の複数のジョブに関する表示要素が、ジョブごとに互いに異なる表示態様で表示される態様を例示した。
【０２１２】
第２実施形態では、進捗状況確認画面３００において、当該複数のジョブに関する表示要素が、ユーザごとに互いに異なる表示態様で表示される態様を例示する。
【０２１３】
ここでは、第１実施形態と同様に、スキャンジョブとプリントジョブとＦＡＸ受信ジョブとの３つのジョブがＭＦＰ１０にて実行されている。当該３つのジョブのうちスキャンジョブとプリントジョブとは、ユーザＵ１のジョブ（詳細にはユーザＵ１によって付与されたジョブ）である。なお、ＦＡＸ受信ジョブについては、実際にはその依頼元（送信元）あるいは送信先のユーザは特定されない。ただし、ここでは、ＦＡＸ受信ジョブが受信されると、当該ＦＡＸ受信ジョブは、ダミーのユーザ（たとえばユーザＵ１００）のジョブ（ユーザＵ１００によって付与されたジョブあるいはユーザＵ１００宛に送信されたジョブ）であるとみなされるものとする。
【０２１４】
そして、進捗状況確認画面３００（３１０）において、ＭＦＰ１０（表示制御部１３）は、ＭＦＰ１０にて実行中の３つのジョブに関する表示要素を、ユーザごとに互いに異なる表示態様で表示する（図１７参照）。図１７は、第２実施形態に係る進捗状況確認画面３００（３１０）を示す図である。
【０２１５】
具体的には、進捗状況確認画面３００（３１０）において、表示制御部１３は、ユーザＵ１のジョブ（スキャンジョブおよびプリントジョブ）に関する表示要素とユーザＵ１００（ユーザＵ１以外のユーザ）のジョブ（ＦＡＸ受信ジョブ）に関する表示要素とを、互いに異なる表示態様で表示する。より詳細には、ユーザＵ１のジョブに関する線要素（処理経路Ｒ１０を表現する線および処理経路Ｒ１０上のサムネイル画像Ｔの枠線）とユーザＵ１００のジョブに関する線要素とを、互いに異なる色を用いて表示する。
【０２１６】
たとえば、表示制御部１３は、ユーザＵ１のジョブ（スキャンジョブおよびプリントジョブ）の処理経路Ｒ１２，Ｒ１３を表現する線を赤色で描画する（図１７参照）。さらに、表示制御部１３は、当該処理経路Ｒ１２，Ｒ１３上のサムネイル画像Ｔ（スキャンジョブおよびプリントジョブに関するサムネイル画像）の枠線を、当該処理経路Ｒ１２，Ｒ１３を表現する線の色（赤色）と同一色を用いて表示する。
【０２１７】
また、表示制御部１３は、ユーザＵ１００（ユーザＵ１とは異なるユーザ）のジョブ（ＦＡＸ受信ジョブ）の処理経路Ｒ１４を表現する線を青色（ユーザＵ１のジョブの処理経路Ｒ１２，Ｒ１３を表現する線の色とは異なる色）で描画する（図１７参照）。さらに、表示制御部１３は、当該処理経路Ｒ１４上のサムネイル画像Ｔ（ＦＡＸ受信ジョブに関するサムネイル画像）の枠線を、当該処理経路Ｒ１４を表現する線の色（青色）と同一色を用いて表示する。
【０２１８】
このように、進捗状況確認画面３００（３１０）においては、各ジョブに関する線要素（ここでは処理経路Ｒ１０を表現する線とその処理経路Ｒ１０上のサムネイル画像Ｔの枠線との双方）が、ユーザごとに互いに異なる表示態様で（ここでは互いに異なる色が用いられて）表示される。
【０２１９】
以上のように、第２実施形態では、複数のジョブがＭＦＰ１０にて実行されている場合、進捗状況確認画面３００（３１０）において、各ジョブに関する表示要素が、ユーザごとに互いに異なる表示態様で表示される。そのため、ＭＦＰ１０の操作者（たとえばユーザＵ１）は、自身のジョブ（スキャンジョブおよびプリントジョブ）と他ユーザのジョブ（ＦＡＸ受信ジョブ）とを視覚的に区別して確認することが可能である。
【０２２０】
＜３．第３実施形態＞
第３実施形態は、第２実施形態の変形例である。以下では、第２実施形態との相違点を中心に説明する。
【０２２１】
上記第２実施形態では、ＭＦＰ１０にて実行中の各ジョブの線要素が、ユーザごとに互いに異なる色を用いて表示される態様を例示した。
【０２２２】
第３実施形態では、当該各ジョブの線要素が、ユーザごとに互いに異なる色を用いて表示され、且つ、同一ユーザの複数のジョブに関する線要素が、同一色且つ互いに異なる種類の線を用いて表示される態様を例示する。
【０２２３】
図１８は、第３実施形態に係る進捗状況確認画面３００（３１１）を示す図である。
【０２２４】
ここでは、ユーザＵ１の複数（２つ）のジョブ（スキャンジョブおよびプリントジョブ）と、ユーザＵ１００の１つのジョブ（ＦＡＸ受信ジョブ）とがＭＦＰ１０にて実行中である。
【０２２５】
ＭＦＰ１０（表示制御部１３）は、上記第２実施形態と同様に、ユーザＵ１のジョブ（スキャンジョブおよびプリントジョブ）に関する線要素（ここでは処理経路Ｒ１０を表現する線）と、ユーザＵ１００のジョブ（ＦＡＸ受信ジョブ）に関する線要素とを、互いに異なる色を用いて表示する。
【０２２６】
また、表示制御部１３は、ユーザＵ１の２つのジョブ（スキャンジョブおよびプリントジョブ）に関する線要素を、同一色且つ互いに異なる種類の線を用いて表示する。具体的には、進捗状況確認画面３００（３１１）において、スキャンジョブの処理経路Ｒ１２を表現する線とプリントジョブの処理経路Ｒ１３を表現する線とが、同一色且つ互いに異なる種類の線（線種）を用いて表示（描画）される。たとえば、図１８に示すように、スキャンジョブの処理経路Ｒ１２を表現する線が赤色の実線で描画され、プリントジョブの処理経路Ｒ１３を表現する線が赤色の点線で表示される。
【０２２７】
以上のように、第３実施形態では、ＭＦＰ１０にて実行中の各ジョブに関する線要素が、ユーザごとに互いに異なる色を用いて表示され、且つ、同一ユーザ（ユーザＵ１）の複数のジョブに関する線要素が、同一色且つ互いに異なる種類の線を用いて表示される。そのため、ＭＦＰ１０の操作者（ユーザＵ１）は、自身のジョブと他ユーザのジョブとを視覚的に区別して確認するとともに、自身の複数のジョブについても、視覚的に互いに区別して確認することが可能である。
【０２２８】
＜４．第４実施形態＞
第４実施形態では、進捗状況確認画面３００において、ＭＦＰ１０にログインしているユーザ（ログインユーザ）のジョブに関する表示要素が、ＭＦＰ１０にログインしていないユーザ（非ログインユーザ）のジョブに関する表示要素よりも強調して表示される。
【０２２９】
ここでは、上記各実施形態と同様に、スキャンジョブとプリントジョブとＦＡＸ受信ジョブとがＭＦＰ１０にて実行されている。ただし、スキャンジョブはユーザＵ１のジョブであり、プリントジョブはユーザＵ２のジョブであり、ＦＡＸ受信ジョブはユーザＵ１００のジョブである。また、ここでは、ユーザＵ１が、ＭＦＰ１０にログインしている（ＭＦＰ１０を操作している）。
【０２３０】
図１９は、第４実施形態に係る進捗状況確認画面３００（３１２）を示す図である。
【０２３１】
具体的には、ユーザＵ１のログイン中において、ＭＦＰ１０（表示制御部１３）は、進捗状況確認画面３１２におけるログインユーザＵ１のジョブに関する表示要素と、非ログインユーザ（ユーザＵ２およびユーザＵ１００）のジョブに関する表示要素とを互いに異なる表示態様で表示する。詳細には、当該ログインユーザＵ１のジョブに関する表示要素が、非ログインユーザＵ２，Ｕ１００のジョブに関する表示要素よりも強調して表示される。
【０２３２】
より具体的には、表示制御部１３は、当該ログインユーザＵ１のジョブ（スキャンジョブ）の処理経路Ｒ１２を表現する線を、非ログインユーザのジョブの処理経路Ｒ１３，Ｒ１４を表現する線よりも太い線（極太線）を用いて表示（描画）する（図１９参照）。たとえば、非ログインユーザのジョブの処理経路Ｒ１３，Ｒ１４を表現する線が１ｍｍ（ミリメートル）の太さで描画され、ログインユーザＵ１のジョブの処理経路Ｒ１２を表現する線が２．５ｍｍの太さで描画される。
【０２３３】
これによれば、進捗状況確認画面３１２において、ログインユーザ（ＭＦＰ１０の操作ユーザ）（たとえばユーザＵ１）は、自身のジョブと他ユーザ（非ログインユーザ）のジョブとを視覚的に区別して確認することが可能である。換言すれば、当該ログインユーザＵ１は、進捗状況確認画面３１２にて表示されている複数のジョブの中から自身のジョブを容易に見つけ出すことが可能である。
【０２３４】
なお、上記第４実施形態では、当該ログインユーザＵ１のジョブに関する線要素を非ログインユーザＵ２，Ｕ１００のジョブに関する線要素よりも太く描画することによって、ログインユーザＵ１のジョブに関する表示要素を強調して表示する態様を例示したが、これに限定されない。たとえば、ログインユーザＵ１のジョブに関する表示要素（のみ）を点滅させることによって、ログインユーザＵ１のジョブに関する表示要素を強調して表示するようにしてもよい。
【０２３５】
＜５．第５実施形態＞
第５実施形態では、非ログインユーザのジョブの処理経路Ｒ１０上に、サムネイル画像Ｔではなくダミー画像Ｄが描画される。
【０２３６】
ここでは、上記各実施形態と同様に、スキャンジョブとプリントジョブとＦＡＸ受信ジョブとがＭＦＰ１０にて実行されている。また、第４実施形態と同様に、スキャンジョブはユーザＵ１のジョブであり、プリントジョブはユーザＵ２のジョブであり、ＦＡＸ受信ジョブはユーザＵ１００のジョブである。また、ここでは、ユーザＵ１が、ＭＦＰ１０にログインしている。
【０２３７】
図２０は、第５実施形態に係る進捗状況確認画面３００（３１３）を示す図である。
【０２３８】
具体的には、ユーザＵ１のログイン中に表示される進捗状況確認画面３１３において、ＭＦＰ１０（表示制御部１３）は、ログインユーザＵ１のジョブに関してのみ、その処理経路Ｒ１０上にサムネイル画像Ｔを描画する（図２０参照）。一方、表示制御部１３は、当該進捗状況確認画面３１３において、非ログインユーザ（ユーザＵ２，Ｕ１００）のジョブに関しては、その処理経路Ｒ１０上にサムネイル画像Ｔではなくダミー画像Ｄを描画する。
【０２３９】
より詳細には、ログインユーザＵ１のジョブ（スキャンジョブ）の処理経路Ｒ１２上には、上記各実施形態と同様に、当該スキャンジョブに関するサムネイル画像Ｔ２４〜Ｔ２６，Ｔ６１〜Ｔ６３がそれぞれ描画される（図２０参照）。
【０２４０】
一方、非ログインユーザＵ２，Ｕ１００のジョブ（プリントジョブ、ＦＡＸ受信ジョブ）の処理経路Ｒ１３，Ｒ１４上には、サムネイル画像Ｔに代えてダミー画像Ｄ（たとえば無地の用紙を模した画像）が描画される（図２０参照）。具体的には、ユーザＵ２のジョブ（プリントジョブ）の処理経路Ｒ１３上には、当該プリントジョブに関するサムネイル画像Ｔ７１，Ｔ７２，Ｔ３３，Ｔ３４（図１６参照）ではなく、ダミー画像Ｄ１１〜Ｄ１４が描画される。また、ユーザＵ１００のジョブ（ＦＡＸ受信ジョブ）の処理経路Ｒ１４上には、当該ＦＡＸ受信ジョブに関するサムネイル画像Ｔ４１〜Ｔ４３，Ｔ４５ではなく、ダミー画像Ｄ２１〜Ｄ２３，Ｄ２５が描画される。
【０２４１】
なお、ダミー画像Ｄは、サムネイル画像Ｔの生成と同じタイミングで生成されてもよく、あるいはＭＦＰ１０において予め準備されていてもよい。
【０２４２】
このように、第５実施形態においては、ＭＦＰ１０にログインしていないユーザ（非ログインユーザ）（ユーザＵ２，Ｕ１００）のジョブの処理経路Ｒ１０上には、サムネイル画像Ｔではなくダミー画像Ｄが描画される。換言すれば、非ログインユーザのジョブに関するサムネイル画像Ｔは、進捗状況確認画面３１３に表示されない。すなわち、ＭＦＰ１０を操作しているログインユーザ（ユーザＵ１）によって、他ユーザ（非ログインユーザ）のジョブに関するサムネイル画像Ｔが閲覧されることがない。したがって、ＭＦＰ１０にて実行中の全てのジョブに関するサムネイル画像Ｔが表示されることに起因して非ログインユーザのジョブに関する情報が漏洩してしまうこと、を回避することが可能である。換言すれば、非ログインユーザのジョブに関する情報を、ログインユーザに対して秘匿化することが可能である。
【０２４３】
＜６．第６実施形態＞
第６実施形態では、進捗状況確認画面３００において処理経路Ｒ１０における複数の区間の中から指定区間が指定（押下）されると、当該指定区間を含む着目区間内のサムネイル画像Ｔに対するユーザ操作を受け付ける着目区間画面が表示される。そして、当該着目区間画面における当該ユーザ操作に応じた処理が実行される。
【０２４４】
具体的には、まず、進捗状況確認画面３０９（図１６）を用いて複数のジョブの中から所望のジョブを表示対象として指定するジョブ指定操作が受け付けられると、表示制御部１３は、当該複数のジョブのうち非指定ジョブに関する表示要素を非表示にする（図２１参照）。
【０２４５】
図２１は、第６実施形態に係る進捗状況確認画面３００（３１４）を示す図である。
【０２４６】
たとえば、進捗状況確認画面３０９（図１６）においてユーザＵ１が３つのジョブの中からスキャンジョブを表示対象として指定（押下）すると、指定されたジョブ（スキャンジョブ）に関する表示要素（処理経路Ｒ１０および当該処理経路Ｒ１０上のサムネイル画像Ｔ）のみが表示される（図２１参照）。具体的には、進捗状況確認画面３０９（図１６）においてスキャンジョブの処理経路Ｒ１２とその処理経路Ｒ１２上のサムネイル画像Ｔ（Ｔ２４〜Ｔ２６，Ｔ６１〜Ｔ６３）とのうちのいずれかが押下されると、進捗状況確認画面３１４においては、当該スキャンジョブに関する表示要素のみが表示される（図２１参照）。
【０２４７】
一方、表示制御部１３は、当該３つのジョブのうちユーザＵ１によって指定されなかったジョブ（非指定ジョブ）（ここではプリントジョブおよびＦＡＸ受信ジョブ）に関する表示要素を非表示にする。具体的には、プリントジョブの処理経路Ｒ１３と当該処理経路Ｒ１３上のサムネイル画像Ｔ３３，Ｔ３４，Ｔ７１，Ｔ７２（図１６参照）とが非表示にされる。また、ＦＡＸ受信ジョブの処理経路Ｒ１４と当該処理経路Ｒ１４上のサムネイル画像Ｔ４１〜Ｔ４３，Ｔ４５（図１６参照）とが非表示にされる。
【０２４８】
これによれば、ユーザ（ここではユーザＵ１）は、ＭＦＰ１０にて実行中の複数のジョブに関する表示要素のうち特に注目して確認したいジョブに関する表示要素のみを進捗状況確認画面３００（３１４）に表示させることが可能である。
【０２４９】
その後、進捗状況確認画面３００においてスキャンジョブの処理経路Ｒ１２における複数の区間の中から指定区間がユーザによる区間指定操作に基づき指定されると、当該指定区間を含む着目区間内のサムネイル画像Ｔに対するユーザ操作を受け付ける着目区間画面が表示される。そして、当該着目区間画面における当該ユーザ操作に応じた処理が実行される。
【０２５０】
具体的には、処理経路Ｒ１０が複数の区間に分割される。ここでは、処理経路Ｒ１０が、入力側区間と中間区間（中間バッファ区間）と出力側区間と出力済区間との４つの区間に分割される。入力側区間は、処理経路Ｒ１０における当該４つの区間のうち入力部領域Ａ１０から入力側処理経路Ｂ１の終端までを含む区間であり、中間区間は、当該４つの区間のうち格納部領域Ａ３０を含む区間である。出力側区間は、当該４つの区間のうち出力側処理経路Ｂ２の始端から出力部領域Ａ５０までを含む区間であり、出力済区間は、当該４つの区間のうち出力済領域Ａ７０を含む区間である。
【０２５１】
進捗状況確認画面３００において当該複数の区間の中から指定区間を指定する区間指定操作がユーザＵ１から受け付けられると、ユーザＵ１によって指定された指定区間を含む着目区間に関する着目区間画面がタッチパネル２５に表示される。詳細には、当該区間指定操作に応じて、入力側区間画面５１０（図２２）と出力側区間画面５２０（図２６）と中間区間画面５３０（図２８）と出力済区間画面５４０とのうちのいずれかが着目区間画面として表示される。そして、各着目区間画面におけるユーザ操作に応じた処理が実行される。以下では、各着目区間画面について順に説明する。
【０２５２】
＜入力側区間画面＞
まず、入力側区間画面５１０（５１１）について説明する。
【０２５３】
当該入力側区間画面５１０は、入力側区間（処理経路Ｒ１０（Ｒ１２）における４つの区間のうち入力部領域Ａ１０（Ａ１１）から入力側処理経路Ｂ１の終端までを含む区間）内のサムネイル画像Ｔに対するユーザ操作を受け付ける操作画面である。進捗状況確認画面３１４（図２１）においてスキャンジョブの処理経路Ｒ１２における入力側処理経路Ｂ１（図１３参照）に対応する表示要素が押下（指定）されると、表示制御部１３は、入力側区間画面５１０（５１１）を表示する（図２２参照）。たとえば、当該処理経路Ｒ１２のうちの入力側処理経路Ｂ１（図１３）と当該入力側処理経路Ｂ１上のサムネイル画像Ｔ（Ｔ２６）とのうちのいずれか一方が押下（指定）されると、入力側区間画面５１０（５１１）が表示される。
【０２５４】
図２２に示すように、当該入力側区間画面５１１には、スキャンジョブの処理経路Ｒ１２における入力側区間が表示されるとともに、中間区間（入力側区間よりも出力側に設けられ且つ当該４つの区間のうち格納部領域Ａ３０を含む区間）もが表示される。換言すれば、当該入力側区間画面５１１においては、当該入力側区間（指定区間）と中間区間とが着目区間として表示される。さらに、当該入力側区間画面５１１には、当該処理経路Ｒ１２上の複数の位置のうち入力側処理経路Ｂ１上の位置と格納部領域Ａ３０内の位置とに描画されていたサムネイル画像Ｔ２４，Ｔ２５，Ｔ２６が拡大して表示される。当該入力側区間画面５１０（５１１）における当該格納部領域Ａ３０内の複数のサムネイル画像Ｔ２４，Ｔ２５は、（重畳されずに）並列して表示される。
【０２５５】
また、ＭＦＰ１０（ジョブ制御部１４）は、当該入力側区間を指定区間として指定する押下操作に応じて、入力手段（ここでは画像読取部２）による画像データの入力処理を一時的に中断する。
【０２５６】
そして、当該入力側区間画面５１０（５１１）において、ＭＦＰ１０（ジョブ制御部１４）は、入力側区間内のサムネイル画像Ｔに対するユーザ操作を受け付ける。当該入力側区間画面５１０（５１１）において当該ユーザ操作が受け付けられると、ジョブ制御部１４は、当該ユーザ操作に応じた処理を実行する。
【０２５７】
たとえば、ジョブ制御部１４は、当該入力側区間画面５１０において入力側処理経路Ｂ１上のサムネイル画像Ｔ２６を格納部領域Ａ３０に向かう向き（ここでは右向き）へと移動させる移動操作（右向きのフリック操作、格納部領域Ａ３０へのドラッグアンドドロップ操作等）をユーザ操作として受け付ける。ジョブ制御部１４は、入力側区間画面５１０における当該移動操作に応じて、一時的に中断していた入力処理（ここでは６ページ目の入力画像データの入力処理）を再開するとともに、次の入力画像データ（７ページ目の入力画像データ）に対する入力処理の実行を開始する。換言すれば、ジョブ制御部１４は、入力処理が未だ完了していない画像データ（入力画像データ）に対する入力処理を、当該移動操作に伴って引き続き実行する。端的に言えば、ジョブ制御部１４は、実際の画像に関する入力処理を、当該入力側区間画面５１０（５１１）内のサムネイル画像Ｔの移動操作に応じて順次進める。そして、表示制御部１３は、６ページ目の入力画像データに基づくサムネイル画像Ｔ２６を格納部領域Ａ３０内の位置に描画するとともに、７ページ目の入力画像データに基づくサムネイル画像Ｔ２７を入力側処理経路Ｂ１上の位置に描画する（図２３参照）。
【０２５８】
また、ジョブ制御部１４は、当該入力側区間画面５１０において、格納部領域Ａ３０内の特定のサムネイル画像Ｔに関する削除指示操作をもユーザ操作として受け付ける。具体的には、図２４に示すように、入力側区間画面５１０（５１３）には、ゴミ箱を模したアイコン５５１が配置されている。そして、ユーザＵ１が、当該格納部領域Ａ３０内の特定のサムネイル画像Ｔ（たとえばＴ２６）に対応する画像データを格納部５から削除させるために、当該サムネイル画像Ｔ２６を当該アイコン５５１へとドラッグアンドドロップ操作にて移動させると、当該格納部領域Ａ３０内から当該サムネイル画像Ｔ２６が削除される。ジョブ制御部１４は、当該入力側区間画面５１０におけるサムネイル画像Ｔ２６の削除指示操作に応じて、スキャンジョブの処理対象の画像データであって当該サムネイル画像Ｔ２６に対応する画像データ（６ページ目の圧縮済画像データ）を格納部５から削除する。このように、入力側区間画面５１０においては、格納部領域Ａ３０内の特定のサムネイル画像Ｔに関する削除指示操作もが受け付けられる。換言すれば、入力側区間画面５１０は、入力側区間内のサムネイル画像Ｔに対するユーザ操作を受け付ける画面であるとともに、中間区間内のサムネイル画像Ｔに対するユーザ操作を受け付ける画面でもある。
【０２５９】
さらに、ジョブ制御部１４は、当該入力側区間画面５１０において格納部領域Ａ３０（中間区間）内の複数のサムネイル画像Ｔの配列順序を変更する順序変更操作をもユーザ操作として受け付ける。具体的には、ユーザＵ１が、当該入力側区間画面５１０において、格納部領域Ａ３０内のサムネイル画像Ｔ（たとえばＴ２６）をサムネイル画像Ｔ２４とＴ２５との間の位置へとドラッグアンドドロップ操作にて移動させると、当該格納部領域Ａ３０内のサムネイル画像Ｔの配列順序が変更される。詳細には、サムネイル画像Ｔの配列順序（Ｔ２４，Ｔ２５，Ｔ２６の配列順序）が、当該順序変更操作に応じて、変更後の配列順序（Ｔ２４，Ｔ２６，Ｔ２５の配列順序）に変更される（図２５参照）。当該順序変更操作に応じて、ジョブ制御部１４は、スキャンジョブの処理対象の複数の画像データであって当該複数のサムネイル画像Ｔ２４〜Ｔ２６にそれぞれ対応する複数の画像データ（４〜６ページ目の圧縮済画像データ）の出力処理の順序を、当該複数のサムネイル画像Ｔ２４〜Ｔ２６の変更後の配列順序に応じた順序に変更する。
【０２６０】
このように、入力側区間画面５１０においては、入力側区間内あるいは中間区間内のサムネイル画像Ｔに対してユーザ操作（移動操作、削除指示操作、順序変更操作）が受け付けられる。そして、当該ユーザ操作に応じた処理が実行される。換言すれば、当該ユーザ操作の結果が、実際の処理対象画像に対する処理に反映される。
【０２６１】
＜出力側区間画面＞
つぎに、出力側区間画面５２０（５２１）について説明する。
【０２６２】
当該出力側区間画面５２０は、出力側区間（処理経路Ｒ１０（Ｒ１２）における４つの区間のうち出力側処理経路Ｂ２の始端から出力部領域Ａ５２までを含む区間）内のサムネイル画像Ｔに対するユーザ操作を受け付ける操作画面である。進捗状況確認画面３１４（図２１）においてスキャンジョブの処理経路Ｒ１２における出力側処理経路Ｂ２（図１３参照）に対応する表示要素押下（指定）されると、表示制御部１３は、出力側区間画面５２０（５２１）を表示する（図２６参照）。たとえば、当該処理経路Ｒ１２のうちの出力側処理経路Ｂ２（図１３参照）と当該出力側処理経路Ｂ２上のサムネイル画像Ｔ（Ｔ６３）とのうちのいずれか一方が押下（指定）されると、出力側区間画面５２０（５２１）が表示される（図２６参照）。
【０２６３】
図２６に示すように、当該出力側区間画面５２１には、スキャンジョブの処理経路Ｒ１２における出力側区間が表示されるとともに、中間区間（出力側区間よりも入力側に設けられ且つ４つの区間のうち格納部領域Ａ３０を含む区間）および出力済区間（４つの区間のうち出力済領域Ａ７２を含む区間）もが表示される。換言すれば、当該出力側区間画面５２１においては、当該出力側区間（指定区間）と中間区間と出力済区間とが着目区間として表示される。さらに、当該出力側区間画面５２１には、当該処理経路Ｒ１２上の複数の位置のうち格納部領域Ａ３０内の位置と出力側処理経路Ｂ２上の位置と出力済領域Ａ７０内の位置とに描画されていたサムネイル画像Ｔ２４，Ｔ２５，Ｔ６１〜Ｔ６３が拡大して表示されている。当該出力側区間画面５２０（５２１）における格納部領域Ａ３０内の複数のサムネイル画像Ｔ２４，Ｔ２５と当該出力済領域Ａ７０内の複数のサムネイル画像Ｔ６１，Ｔ６２とは、（重畳されずに）並列して表示される。
【０２６４】
また、ＭＦＰ１０（ジョブ制御部１４）は、当該出力側区間を指定区間として指定する押下操作に応じて、出力手段（ここではネットワーク送信部４ａ）による画像データの出力処理を一時的に中断する。
【０２６５】
そして、当該出力側区間画面５２０（５２１）において、ＭＦＰ１０（ジョブ制御部１４）は、出力側区間内のサムネイル画像Ｔに対するユーザ操作を受け付ける。当該出力側区間画面５２０（５２１）において当該ユーザ操作が受け付けられると、ジョブ制御部１４は、当該ユーザ操作に応じた処理を実行する。
【０２６６】
たとえば、ジョブ制御部１４は、当該出力側区間画面５２０において出力側処理経路Ｂ２上のサムネイル画像Ｔ６３を出力部領域Ａ５２に向かう向き（ここでは右向き）へと移動させる移動操作（右向きのフリック操作、出力済領域Ａ７２へのドラッグアンドドロップ操作等）をユーザ操作として受け付ける。ジョブ制御部１４は、当該出力側区間画面５２０における当該移動操作に応じて、一時的に中断していた出力処理（３ページ目の出力画像データの出力処理）を再開するとともに、次の出力画像データ（４ページ目の出力画像データ）に対する出力処理の実行を開始する。換言すれば、ジョブ制御部１４は、出力処理の実行を待機している画像データ（出力画像データ）に対する出力処理を、当該移動操作に伴って引き続き実行する。端的に言えば、ジョブ制御部１４は、実際の画像に関する出力処理を、当該出力側区間画面５２０（５２１）内のサムネイル画像Ｔの移動操作に応じて順次進める。そして、表示制御部１３は、３ページ目の出力画像データに基づくサムネイル画像Ｔ６３を出力済領域Ａ７０内の位置に描画するとともに、４ページ目の出力画像データに基づくサムネイル画像Ｔ６４を出力側処理経路Ｂ２上の位置に描画する（図２７参照）。
【０２６７】
また、ジョブ制御部１４は、当該出力側区間画面５２０（５２１）における格納部領域Ａ３０（中間区間）内のサムネイル画像Ｔ（Ｔ２４，Ｔ２５）に対する削除指示操作および順序変更操作をもユーザ操作として受け付ける。このように、出力側区間画面５２０は、出力側区間内のサムネイル画像Ｔに対するユーザ操作を受け付ける画面であるとともに、中間区間内のサムネイル画像Ｔに対するユーザ操作を受け付ける画面でもある。なお、当該出力側区間画面５２０における削除指示操作および順序変更操作は、入力側区間画面５１０における削除指示操作および順序変更操作と同様である。
【０２６８】
このように、出力側区間画面５２０において、出力側区間内あるいは中間区間内のサムネイル画像Ｔに対してユーザ操作（移動操作、削除指示操作、順序変更操作）が受け付けられる。そして、当該ユーザ操作に応じた処理が実行される。換言すれば、当該ユーザ操作の結果が、実際の処理対象画像に対する処理に反映される。
【０２６９】
＜中間区間画面＞
さらに、中間区間画面５３０について説明する。
【０２７０】
当該中間区間画面（中間バッファ区間画面）５３０は、中間区間（入力部領域Ａ１０（Ａ１１）と出力部領域Ａ５０（Ａ５２）との間に設けられ且つ処理経路Ｒ１０（Ｒ１２）における４つの区間のうち格納部領域Ａ３０を含む区間）内のサムネイル画像Ｔに対するユーザ操作を受け付ける操作画面である。進捗状況確認画面３１４（図２１）において当該中間区間に対応する表示要素が押下（指定）されると、表示制御部１３は、中間区間画面５３０を表示する（図２８参照）。たとえば、格納部領域Ａ３０内のサムネイル画像Ｔであってスキャンジョブに関するサムネイル画像Ｔ（Ｔ２４あるいはＴ２５）が押下（指定）されると、中間区間画面５３０が表示される（図２８参照）。
【０２７１】
図２８に示すように、当該中間区間画面５３０には、中間区間（指定区間）が着目区間として表示されるとともに、スキャンジョブの処理経路Ｒ１２上の複数の位置のうち当該格納部領域Ａ３０内の位置に描画されていたサムネイル画像Ｔ２４，Ｔ２５が拡大して表示される。当該中間区間画面５３０における当該格納部領域Ａ３０内の複数のサムネイル画像Ｔ２４，Ｔ２５は、（重畳されずに）並列して表示される。
【０２７２】
そして、当該中間区間画面５３０において、ＭＦＰ１０（ジョブ制御部１４）は、当該格納部領域Ａ３０（中間区間）内のサムネイル画像Ｔ（Ｔ２４，Ｔ２５）に対するユーザ操作（ここでは削除指示操作、順序変更操作）を受け付ける。当該中間区間画面５３０において当該ユーザ操作が受け付けられると、ジョブ制御部１４は、当該ユーザ操作に応じた処理を実行する。なお、当該中間区間画面５３０における削除指示操作および順序変更操作の操作内容等は、入力側区間画面５１０等における削除指示操作および順序変更操作の操作内容等と同様である。
【０２７３】
＜出力済区間画面＞
最後に、出力済区間画面５４０について説明する。
【０２７４】
当該出力済区間画面５４０は、一の出力済領域Ａ７０に対応する出力手段によって出力された出力済画像の一覧を示す画面（出力済領域確認画面とも称される）である。進捗状況確認画面３１４（図２１）において出力済領域Ａ７０（Ａ７２）に対応する表示要素がユーザによって押下（選択）されると、当該出力済区間画面５４０がＭＦＰ１０のタッチパネル２５に表示される（図２９参照）。たとえば、出力済領域Ａ７０（Ａ７２）内のサムネイル画像Ｔ（Ｔ６１あるいはＴ６２）が押下されると、当該出力済区間画面５４０が表示される。
【０２７５】
図２９に示すように、当該出力済区間画面５４０には、出力済区間（出力済領域Ａ７０（Ａ７２））が着目区間として表示されるとともに、スキャンジョブの処理経路Ｒ１２上の複数の位置のうち出力済領域Ａ７２内の位置に描画されていたサムネイル画像Ｔ６１，Ｔ６２が拡大して表示される。当該出力済区間画面５４０における当該出力済領域Ａ７０内の複数のサムネイル画像Ｔ６１，Ｔ６２は、（重畳されずに）並列して表示される。
【０２７６】
以上のように、第６実施形態では、ＭＦＰ１０にて実行中のジョブの処理経路Ｒ１０（Ｒ１２）における複数の区間の中から指定区間が指定されると、当該指定区間を含む着目区間内のサムネイル画像Ｔに対するユーザ操作を受け付ける着目区間画面が表示される。そのため、ユーザ（ユーザＵ１）は、当該ジョブの処理経路Ｒ１０のうち特に注目して確認したい区間をより重点的に確認することが可能である。
【０２７７】
なお、上記第６実施形態では、ＭＦＰ１０にて実行中の複数のジョブのうちユーザの所望のジョブに関する表示要素のみが進捗状況確認画面３１４（図２１）表示された後、当該所望のジョブの処理経路Ｒ１０（Ｒ１２）における区間指定操作が受け付けられる態様を例示したが、これに限定されない。たとえば、進捗状況確認画面３００（たとえば３０９（図１６））において（当該複数のジョブの処理経路Ｒ１０（Ｒ１２〜Ｒ１４）が表示されている状態で）、当該区間指定操作が受け付けられてもよい。
【０２７８】
＜７．第７実施形態＞
第７実施形態では、ＭＦＰ１０にて現在実行中のジョブに関する処理が、ユーザからの指示に応じて、現在の処理速度よりも遅い処理速度で実行される。
【０２７９】
図３０は、第７実施形態に係る進捗状況確認画面３００（３１５）である。図３０に示すように、当該進捗状況確認画面３１５には、ジョブに関する処理の処理速度を低減するためのスローボタン３６０が設けられている。
【０２８０】
当該スローボタン３６０がユーザ（ユーザＵ１）によって押下されると、ＭＦＰ１０にて実行中のジョブに関する処理が、現在の処理速度よりも遅い処理速度で順次実行される。具体的には、ＭＦＰ１０（ジョブ制御部１４）は、当該ジョブに関する処理（入力処理および出力処理）を、現在の処理時間間隔よりも長い処理時間間隔で実行する。
【０２８１】
ここにおいて、ＭＦＰ１０では、当該ジョブにおける処理対象の複数の画像データのうち一の画像データ（入力画像データ）に関する入力処理が完了すると、直ぐさま次の入力画像データに関する入力処理が開始される。換言すれば、一の画像データに対する入力処理の完了と、当該一の画像データの次の画像データに対する入力処理の開始との時間間隔（処理時間間隔）が０秒で（待ち時間無しで）実行される。同様に、当該ジョブにおける処理対象の複数の画像データのうち一の画像データ（出力画像データ）に関する出力処理が完了すると、直ぐさま次の出力画像データの出力処理が開始される。換言すれば、一の画像データに対する出力処理の完了と、当該一の画像データの次の画像データに対する出力処理の開始との時間間隔（処理時間間隔）が０秒で（待ち時間無しで）実行される。
【０２８２】
そして、スローボタン３６０が押下されると、ジョブ制御部１４は、各ジョブの入力処理および出力処理に関する処理時間間隔を、現在の処理時間間隔（０秒）から、より長い処理時間間隔（たとえば３秒）に変更する。
【０２８３】
たとえば、スキャンジョブにおける画像データ（入力画像データ）の入力処理（スキャン処理）の処理時間間隔が、現在の処理時間間隔（たとえば０秒）から、より長い処理時間間隔（３秒）へと変更される。そして、変更後の処理時間間隔（３秒）で画像データの入力処理が順次実行される。具体的には、１枚の或る入力画像データの入力処理が完了すると、３秒の待機時間が経過した後、次の入力画像データの入力処理が開始される。同様に、スキャンジョブにおける画像データ（出力画像データ）の出力処理の処理時間間隔が、現在の処理時間間隔（０秒）から、より長い処理時間間隔（３秒）へと変更される。そして、変更後の処理時間間隔（３秒）で出力画像データの出力処理が順次実行される。具体的には、１枚の或る出力画像データの出力処理が完了すると、３秒の待機時間が経過した後、次の出力画像データの出力処理が開始される。
【０２８４】
同様に、他のジョブ（プリントジョブおよびＦＡＸ受信ジョブ）に関する処理も、スローボタン３６０の押下操作に応じて、現在の処理時間間隔よりも長い処理時間間隔でそれぞれ実行される。
【０２８５】
このように、第７実施形態においては、ＭＦＰ１０にて実行中のジョブに関する処理が、ユーザからの指示（スローボタン３６０の押下操作）に応じて、現在の処理速度よりも遅い処理速度で実行される。換言すれば、ＭＦＰ１０にて実行中のジョブが、比較的ゆっくり進められる。そのため、各ジョブに関するサムネイル画像Ｔが、処理経路Ｒ１０上の描画位置に停留する時間が長くなり、ユーザは、当該サムネイル画像Ｔをしっかりと確認しながらジョブの進捗状況を確認することが可能である。
【０２８６】
なお、上記第７実施形態では、ＭＦＰ１０にて実行中のジョブに関する処理の処理速度の低減方法として、各画像データの入力処理（出力処理）の完了と次の画像データの入力処理（出力処理）の開始との時間間隔を、現在よりも長い処理時間間隔に変更する態様を例示したが、これに限定されない。たとえば、当該処理速度の低減方法として、一の画像データに対する入力処理（出力処理）に要する処理時間が、現在の処理時間よりも長い処理時間に変更されるようにしてもよい。
【０２８７】
具体的には、この画像読取部２は、（スローボタン３６０が押下される前においては、）１ページの原稿を所定の動作速度で読み取り、１枚の入力画像データに対する読取開始から読取完了までに１秒の処理時間を要する。ジョブ制御部１４は、スローボタン３６０が押下されると、当該画像読取部２による原稿の読取速度を、現在の動作速度よりも遅い動作速度に変更する。換言すれば、１枚の入力画像データに対する入力処理に要する処理時間が、現在の処理時間（１秒）よりも長い処理時間（たとえば３秒）に変更される。
【０２８８】
また、上記第７実施形態では、ＭＦＰ１０にて実行中の全てのジョブに関する処理が、現在の処理速度よりも遅い処理速度に変更される態様を例示したが、これに限定されない。たとえば、ＭＦＰ１０にて実行中の複数のジョブのうちログインユーザ（たとえばユーザＵ１）のジョブ（たとえばスキャンジョブ）のみに関する処理が、現在の処理速度よりも遅い処理速度に変更されるようにしてもよい。
【０２８９】
＜８．変形例＞
以上、この発明の実施の形態について説明したが、この発明は上記内容のものに限定されるものではない。
【０２９０】
たとえば、進捗状況確認画面３００において、出力処理の実行を待機しているジョブの一覧を示す待機リスト３７０が表示されるようにしてもよい。
【０２９１】
図３１は、当該変形例に係る進捗状況確認画面３００（３１６）を示す図である。ここでは、ＭＦＰ１０においてプリントジョブ（Ｊｏｂ  Ｎｏ．１）とコピージョブ（Ｊｏｂ  Ｎｏ．５）とが現在実行中である。また、ＭＦＰ１０においては、プリントジョブによって印刷出力部３が現在利用されており、印刷出力部３を出力手段として用いる３つのジョブ（Ｊｏｂ  Ｎｏ．２〜４）が、印刷出力部３による印刷出力を待機している。
【０２９２】
ＭＦＰ１０にて出力処理の実行を待機している少なくとも１つのジョブ（Ｊｏｂ  Ｎｏ．２〜４）が存在する場合、ＭＦＰ１０（表示制御部１３）は、当該ジョブの一覧を示す待機リスト３７０を進捗状況確認画面３００（３１６）に表示する（図３１参照）。具体的には、当該待機リスト３７０には、出力処理の実行を待機しているジョブのジョブ番号（Ｊｏｂ  Ｎｏ．２〜４）が表示される。その後、ＭＦＰ１０にて現在実行中のコピージョブ（Ｊｏｂ  Ｎｏ．５）において全ての入力画像データの入力処理が完了すると、当該待機リスト３７０が更新される。具体的には、当該コピージョブのジョブ番号（Ｊｏｂ  Ｎｏ．５）が待機リスト３７０に示される。また、進捗状況確認画面３１６においては、当該コピージョブ（Ｊｏｂ  Ｎｏ．５）に関する表示要素（処理経路Ｒ１１およびサムネイル画像Ｔ１１〜Ｔ１３等）が非表示にされる。
【０２９３】
また、上記各実施形態等では、進捗状況確認画面３００において、複数の入力手段に対応する複数の入力部領域Ａ１０（Ａ１１〜Ａ１３）の全てが表示され、且つ複数の出力手段に対応する複数の出力部領域Ａ５０（Ａ５１〜Ａ５３）の全てが表示される（図４参照）態様を例示した。
【０２９４】
しかしながら、本発明はこれに限定されない。たとえば、複数の入力部領域Ａ１０のうち、ＭＦＰ１０で現在実行中のジョブにて利用される入力手段に対応する入力部領域Ａ１０のみが表示されるとともに、複数の出力部領域Ａ５０（Ａ５１〜Ａ５３）のうち、当該ジョブにて利用される出力手段に対応する出力部領域Ａ５０のみが表示されるようにしてもよい。
【０２９５】
図３２は、この変形例に係る進捗状況確認画面３００（３１７）を示す図である。
【０２９６】
ここでは、ＭＦＰ１０においてスキャンジョブとプリントジョブとが現在実行中である。ＭＦＰ１０にて現在実行中のジョブ（スキャンジョブおよびプリントジョブ）においては、複数の入力手段のうちのＦＡＸ受信部４ｄと、複数の出力手段のうちのＦＡＸ送信部４ｃとはいずれも利用されない。
【０２９７】
この場合、ＭＦＰ１０（表示制御部１３）は、図３２に示すように、進捗状況確認画面３００（３１７）において、複数の入力部領域Ａ１１〜Ａ１３（図４）のうち、ＭＦＰ１０で現在実行中のジョブにて利用される入力手段（画像読取部２およびネットワーク受信部４ｂ）に対応する入力部領域Ａ１１，Ａ１２のみを表示する。一方、表示制御部１３は、複数の入力部領域Ａ１１〜Ａ１３のうち、当該ジョブにて利用されない入力手段（ＦＡＸ受信部４ｄ）に対応する入力部領域Ａ１３（図４）を非表示にする。また、表示制御部１３は、進捗状況確認画面３００（３１７）において、複数の出力部領域Ａ５１〜Ａ５３（図４）のうち、ＭＦＰ１０で現在実行中のジョブにて利用される出力手段（印刷出力部３およびネットワーク送信部４ａ）に対応する出力部領域Ａ５１，Ａ５２のみを表示する。一方、表示制御部１３は、複数の出力部領域Ａ５１〜Ａ５３のうち、当該ジョブにて利用されない出力手段（ＦＡＸ送信部４ｃ）に対応する出力部領域Ａ５３（図４）を非表示にする。
【０２９８】
このように、複数の入力部領域Ａ１０のうち、ＭＦＰ１０で現在実行中のジョブにて利用される入力手段に対応する入力部領域Ａ１０のみが表示されるとともに、複数の出力部領域Ａ５０のうち、当該ジョブにて利用される出力手段に対応する出力部領域Ａ５０のみが表示されるようにしてもよい。
【０２９９】
また、上記各実施形態等では、進捗状況確認画面３００において格納部領域Ａ３０が配置される態様を例示したが、これに限定されず、進捗状況確認画面３００において格納部領域Ａ３０が配置されなくてもよい。
【０３００】
また、上記各実施形態等では、ＭＦＰ１０の操作パネル部６ｃ（タッチパネル２５）において進捗状況確認画面３００が表示される態様を例示したが、これに限定されない。たとえば、ＭＦＰ１０とは別の装置（たとえばタブレット端末などの外部端末）においても、上記各実施形態等と同様にして進捗状況確認画面３００が表示されるようにしてもよい。具体的には、ＭＦＰ１０と通信可能な外部端末（リモート端末）において、ＭＦＰ１０のタッチパネル２５に表示される進捗状況確認画面３００の画像データ（画面データ）が当該ＭＦＰ１０から取得され、当該進捗状況確認画面３００が当該外部端末の表示画面にされるようにしてもよい。
【符号の説明】
【０３０１】
１０  ＭＦＰ（画像形成装置）
３００〜３１８  進捗状況確認画面
４１０〜４１３  入力側接続線
４５０〜４５３  出力側接続線
４７０〜４７３  出力側補助接続線
Ａ１０〜Ａ１３  入力部領域
Ａ３０  格納部領域
Ａ５０〜Ａ５３  出力部領域
Ａ７０〜Ａ７３  出力済領域
Ｂ１  入力側処理経路
Ｂ２  出力側処理経路
Ｂ３  出力側補助処理経路
Ｒ１０〜Ｒ１４  処理経路
【図１】
0006500592.tif 000002
【図２】
0006500592.tif 000003
【図３】
0006500592.tif 000004
【図４】
0006500592.tif 000005
【図５】
0006500592.tif 000006
【図６】
0006500592.tif 000007
【図７】
0006500592.tif 000008
【図８】
0006500592.tif 000009
【図９】
0006500592.tif 000010
【図１０】
0006500592.tif 000011
【図１１】
0006500592.tif 000012
【図１２】
0006500592.tif 000013
【図１３】
0006500592.tif 000014
【図１４】
0006500592.tif 000015
【図１５】
0006500592.tif 000016
【図１６】
0006500592.tif 000017
【図１７】
0006500592.tif 000018
【図１８】
0006500592.tif 000019
【図１９】
0006500592.tif 000020
【図２０】
0006500592.tif 000021
【図２１】
0006500592.tif 000022
【図２２】
0006500592.tif 000023
【図２３】
0006500592.tif 000024
【図２４】
0006500592.tif 000025
【図２５】
0006500592.tif 000026
【図２６】
0006500592.tif 000027
【図２７】
0006500592.tif 000028
【図２８】
0006500592.tif 000029
【図２９】
0006500592.tif 000030
【図３０】
0006500592.tif 000031
【図３１】
0006500592.tif 000032
【図３２】
0006500592.tif 000033
【図３３】
0006500592.tif 000034
【図３４】
0006500592.tif 000035